(57)【特許請求の範囲】
【請求項１】
表面層（５）およびコア（６）を備え、前記コアが木質繊維（１４’）を含む建物用パネルであって、前記表面層（５）が、木質繊維（１４）、バインダ（１９）および耐摩耗性粒子（１２）を含む実質的に均質な混合物から構成され、前記表面層（５）内の木質繊維（１４）が精製されておらずかつリグニンのような天然樹脂を含み、
前記建物用パネルは、バランス層（７）を有するフロアパネルであり、
前記バインダ（１９）は熱硬化性樹脂であり、
前記耐摩耗性粒子（１２）は酸化アルミニウムを含み、酸化アルミニウム粒子（１２’）が前記コア（６）の上部と直接的に接触しており、
前記表面層（５）は、前記パネル（１）の主な平面と平行に延びる３つの水平面（Ｈ１、Ｈ２、Ｈ３）を具備した垂直部分（Ｐ）を有しており、前記表面層（５）の上側部分に配置された第１の上側平面（Ｈ１）は第１の酸化アルミニウム粒子（１２）を含み、前記第１の酸化アルミニウム粒子（１２）の下側に配置された第２の中間平面（Ｈ２）は木を含み、前記第２の平面（Ｈ２）の下側の前記第３の下側平面（Ｈ３）は第２の酸化アルミニウム粒子（１２’）を含んでいることを特徴とする建物用パネル。
【請求項２】
前記コア（６）が板、例えばＨＤＦあるいはパーティクルボードであり、
前記表面層（５）が着色色素（１５）を含み、
前記表面層（５）の木質繊維（１４）が、前記コア（６）と同一な材料タイプの繊維を含むことを特徴とする請求項１に記載の建物用パネル。
【請求項３】
前記バインダ（１９）がメラミン樹脂を含むことを特徴とする請求項１または２に記載の建物用パネル。
【請求項４】
前記耐摩耗性粒子（１２）が、前記メラミン樹脂によって前記表面層（５）内の前記木質繊維（１４）に結合されていることを特徴とする請求項３に記載の建物用パネル。
【請求項５】
前記表面層（５）内の酸化アルミニウム粒子の重量含有量が、前記表面層の総重量の約５％〜約３０％の範囲であることを特徴とする請求項１〜４のいずれか一項に記載の建物用パネル。
【請求項６】
前記表面層（５）内の酸化アルミニウム粒子の重量含有量が、少なくとも１００グラム／平方メートルであることを特徴とする請求項１〜５のいずれか一項に記載の建物用パネル。
【請求項７】
前記コア（６）がＨＤＦであることを特徴とする請求項１〜６のいずれか一項に記載した建物用パネル。
【請求項８】
前記コア（６）がパーティクルボードであることを特徴とする請求項１〜７のいずれか一項に記載の建物用パネル。
【請求項９】
前記表面層（５）が、前記上側の耐摩耗性粒子（１２）の下方の表面内に延びる印刷をさらに有していることを特徴とする請求項１〜８のいずれか一項に記載の建物用パネル。
【請求項１０】
前記表面層（５）が、繊維組織が異なる、ブラシをかけられた部分を有していることを特徴とする請求項１〜９のいずれか一項に記載の建物用パネル。
【請求項１１】
前記表面層（５）が、耐摩耗性が異なる、ブラシをかけられた部分を有していることを特徴とする請求項１〜１０のいずれか一項に記載の建物用パネル。
【請求項１２】
前記表面層（５）の木質繊維（１４）が本質的に１ｍｍより小さいことを特徴とする請求項１〜１１のいずれか一項に記載の建物用パネル。
【請求項１３】
前記表面層（５）は、本質的に０．５ｍｍより小さい粉末の形態の木質繊維（１４）を含むことを特徴とする請求項１〜１２のいずれか一項に記載の建物用パネル。
【請求項１４】
前記建物用パネルの縁部が、前記建物用パネルをこれに類似する他の建物用パネルに係止するための機械的な係止装置（４，４’）を有しており、かつそのような係止装置が前記コア（６）に形成されていることを特徴とする請求項１〜１３のいずれか一項に記載の建物用パネル。
【請求項１５】
建物用パネルであって、表面層（５）およびコア（６）を備え、前記コアが木質繊維（１４）を含んでおり、前記表面層（５）が天然樹脂を含む木質繊維（１４）、バインダ（１９）および耐摩耗性粒子（１２）を含む実質的に均質な混合物から構成され、前記建物用パネルがバランス層（７）を含むフロアパネルであり、前記バインダ（１９）は熱硬化性樹脂であり、前記耐摩耗性粒子（１２）がアルミニウム酸化物を含み、前記表面層（５）が、前記建物用パネル（１）の主な平面と平行に延びる３つの水平面（Ｈ１、Ｈ２、Ｈ３）を具備した垂直部分（Ｐ）を有しており、前記表面層（５）の上側部分に配置された第１の上側平面（Ｈ１）は第１の酸化アルミニウム粒子（１２）を含み、前記第１の酸化アルミニウム粒子（１２）の下側に配置された第２の中間平面（Ｈ２）は木を含み、前記第２の平面（Ｈ２）の下側の前記第３の下側平面（Ｈ３）は第２の酸化アルミニウム粒子（１２’）を含み、前記酸化アルミニウム粒子（１２’）が、前記コア（６）の上部と直接的に接触していることを特徴とする建物用パネル。
【発明の詳細な説明】
【開示の説明】
【０００１】
［技術分野］
この開示は全般的に建物用パネル、好ましくはフロアパネルのための、耐摩耗性表面を有した繊維ベースのパネルの分野に関する。この開示は、そのような耐摩耗性の表面を有した建物用パネル、およびそのようなパネルを製造するための製造方法に関する。
【０００２】
［適用分野］
本開示は、木質繊維コアおよび装飾的な耐摩耗性表面を有したフロアパネルを備える浮床への使用に特に適している。したがって、以下の技術的な説明、公知のシステムの課題および本発明の目的および特徴は、非限定的な実施例として、とりわけこの適用分野、特に従来の木質繊維ベースの浮動積層床板に類似する床材に向けられている。この開示は、サブフロアに接着される床を除外するものではない。
【０００３】
ここで強調されるべきことは、この開示が、パネルとして、あるいは例えばコアに接着される表面層として用い得ることである。この開示はまた、例えば壁パネル、天井、家具の部品およびそれに類した物の用途に用いることができる。さらに、工業、例えば自動車部品に一般的に用いられている金属製または樹脂製の部品に取って代わり得る部品を製造することも可能である。そのような部品は、高度な形状および特性で製造することができる。耐摩耗性、耐衝撃性、摩擦およびコスト構造は、他の従来の材料に匹敵しあるいはより良好なものとすることができる。
【０００４】
［背景技術］
木質繊維をベースとしてダイレクトプレスされた積層床材は、通常６〜１２ｍｍの繊維板のコア、厚さ０．２ｍｍの積層された上側装飾表面層、および厚さ０．１〜０．２ｍｍの樹脂、紙あるいは類似の部材の積層された下側バランス層を備える。
【０００５】
積層体の表面は、一般的に、厚さ０．１ｍｍの印刷された装飾紙と、この装飾紙の上に付加されてこの装飾紙を摩耗から保護することを目的とした厚さ０．０５〜０．１ｍｍの透明な被覆紙の２枚の紙のシートから構成されている。透明でない装飾紙上の印刷は、厚さが約０．０１ｍｍにすぎない。透明な被覆は、微細なαセルロース繊維から作られ、小さな硬くて透明なアルミニウム酸化物の粒子を含んでいる。微細な繊維は約２〜５ｍｍとかなり長く、これが被覆紙に必要な強さを与えている。透明性を得るために、未使用の木質繊維内に存在しているすべての天然樹脂が取り除かれ、装飾紙上の非常に薄い層としてアルミニウム酸化物粒子が付加される。この積層床の表面層の特徴は、一方が他方の上にある２枚の別々の層によってその装飾および摩耗の特性が得られている点にある。
【０００６】
印刷された装飾紙および被覆にはメラミン樹脂が含浸され、熱と圧力の下で木質繊維ベースのコアに積層される。
【０００７】
小さなアルミニウム酸化物粒子は、２０〜１００ミクロンの範囲の寸法とすることができる。この粒子は、いくつかの方法で表面層に取り込むことができる。それらは、例えば被覆紙を製造する間にパルプに取り込むことができる。それらはまた、被覆を含浸させる手順の間に濡れているラッカー上に振りかけることもできるし、あるいは被覆を含浸するために用いるラッカーに取り込むこともできる。
【０００８】
この摩耗層は、セルロースの被覆なしに製造することもできる。そのような場合、メラミン樹脂およびアルミニウム酸化物粒子は、上述したものと同じ方法でラッカー塗布層として装飾紙の上に直接付加される。そのような摩耗層は、一般的に液体被覆と呼ばれる。
【０００９】
この製造方法によると、耐摩耗性に非常に優れた表面を得ることができる。この種の表面は、主に積層床板に用いられるが、それはまた家具の構成部品および同様の用途に用いることができる。高品質な積層床板は、４０００〜６０００回転の耐摩耗性を有するが、それはＩＳＯ規格に準拠したテーバー式摩耗試験機で計測する摩耗クラスのＡＣ４およびＡＣ５に相当する。
【００１０】
木の表面を被覆する透明なラッカー内に酸化アルミニウム粒子を取り込むことにより、ラッカーを塗布した木の表面の耐摩耗性を大幅に改良できることもまた良く知られている。
【００１１】
積層床板に用いられる最も一般的なコア材は、通常ＨＤＦ  高密度繊維板  と呼ばれる、高い密度と良好な安定性を有した繊維板である。時には、ＭＤＦ  中密度繊維板   がコアとして用いられる。パーティクルボードのような他のコア材料もまた用いられる。
【００１２】
ＨＤＦは、以下のようにして製造される。丸材、例えば松、カラマツあるいはトウヒを木材チップへと煮詰め、次いで精砕機において繊維に分解する。その後、この繊維をバインダと混合し、次いで高圧および高温を負荷して板材を形成する。
【００１３】
［いくつかの用語の定義］
以下の文においては、設置されたフロアパネルのうち見える側の表面を「前側」と呼び、サブフロアに対向するこのフロアパネルの反対側を「後側」と呼ぶ。パネルの主要な部分を構成するとともに必要な安定性をパネルにもたらすシート状に成形された材料を「コア」と呼ぶ。このコアが、前側に最も近い表面層で覆われ、かつ好ましくは後側に最も近いバランス層で覆われると、それは、この半製品がその後の操作において複数のフロア要素に分割される場合に「床板」または「床要素」と呼ばれる半製品を形成する。この床要素は、連結システムを有したそれらの最終的な形状を得るためにその縁部に沿って機械加工されると「フロアパネル」と呼ばれる。「表面層」は、パネルに装飾的な特性および耐摩耗性をもたらすとともに、前側に最も近いコアに付加されて好ましくはフロアボードの前側の全体を覆う、全ての層を意味する。「装飾表面層」は、フロアにその装飾的な外観を与えることが主に意図されている層を意味する。「摩耗層」は、前側の耐久性を高めるように構成された層に関連する。
【００１４】
「水平面」は、表面層の外側部分に対して平行に延びる面を意味する。「水平に」とは水平面に対して平行であることを意味し、かつ「垂直に」とは水平面に対して垂直であることを意味する。「上側に」とは前側に向かうことを意味し、かつ「下側に」とは後側に向かうことを意味する。
【００１５】
［公知技術およびその問題］
多くの床材、特に積層床材に用いられる耐磨耗性の透明層は、一般的に、木質繊維ベースのコアに付加された装飾的な印刷紙の上に、あるいは装飾的な印刷表面の上に設けられる。この装飾層は、薄くて透明な保護的な摩耗層が摺り減ると損傷する。
【００１６】
多くの用途、主として店、ホテル、レストランおよび類似の領域におけるそのような床の耐摩耗性は十分ではない。その主な理由は、人々がその靴の下に砂を付けたまま床の上を歩くことによる。積層床材の装飾層は、多くの場合、特に入口領域の周辺あるいは通路のような交通および摩耗の激しい領域において、かなり短い期間に損傷する。積層床材は、石の床あるいはセラミックタイルから作られている床と同じ耐摩耗性には到達し得ない。
【００１７】
リノリュームは、木粉、コルク粉末、石灰岩および着色顔料と組み合わせた凝固亜麻仁油から作られる、良く知られた床仕上げ材である。それは、装飾的な特性と耐摩耗性を組み合わせた固体の表面層を有している。しかしながら、この床材はいくつかの短所を有している。その耐衝撃性および耐摩耗性は低く、かつ高度なデザインを作り出すことが困難である。生産コストも、かなり高い。
【００１８】
積層床材の耐摩耗性を高めるためにいくつかの方法が用いられてきたが、それらは、印刷された紙あるいは印刷されたデザイン上の上側にある透明層に、より耐磨耗性の高い粒子、例えば酸化アルミニウムを含ませるという原理をベースとしている。この方法の主な短所は、印刷デザインが明瞭にならないことにある。そのような厚い被覆が、完全には透明でない灰色の層を作り出すからである。
【００１９】
耐磨耗性の表面層を形成するためにいくつかの透明な被覆を装飾紙上にプレスできること、およびそのような複数の被覆がその下側に印刷パターンを具備し得ることは公知である。この設計は、上側層が摺り減ったときに、下側の透明層が印刷パターンを保護するように適合させることができる。含浸の間における被覆の制御されない膨潤のために、魅力的で耐磨耗性の表面層を作り出すことはきわめて困難である。他の短所は、そのような複数層の被覆が、灰色で明瞭でないデザインパターンをもたらし、より多くの張力および湿度の変化により敏感な表面を作り出すことにある。
【００２０】
積層床板は、多くの良好な特性を有するとともに、木の床材や石の床材のような多くの他のタイプの床材よりも製造のためのコスト効果が高い。この床が１９７７年３月に発明されたときから、多くの改善がなされてきた。しかしながら、その製造は、未だにかなり資本集約的であり、かつ以下のような多くの段階から成っている。
１．ＨＤＦの製造
２．均一な表面を作り出すためのＨＤＦの研摩
３．装飾紙の製造
４．装飾紙の印刷
５．被覆の製造
６．装飾紙の含浸
７．被覆の含浸
８．装飾紙および被覆のＨＤＦコアへのプレスおよびフロアボードの形成
９．床板の個々の床要素への分割
１０．係止システムを形成するためのフロアパネルの縁部の機械加工
【００２１】
これらの製造段階のいくつかを取り除くことができれば、それは大きな利点となる。
【００２２】
積層床材パネル上の印刷物を、ＨＤＦコアの表面上のデジタルあるいは直接印刷に置き換え得ることは知られている。しかしながら、そのような直接印刷による床材の品質は、積層床材に用いる従来の装飾紙の印刷より劣っており、かつ主要なコストの改善も達成されていない。印刷層は、従来の被覆あるいは透明な摩耗耐性層を有したコーティングによって保護されている。耐摩耗性および耐衝撃性は、一般的に、従来の積層床材より劣っている。
【００２３】
積層床材は、印刷パターンとエンボス加工された表面構造とが整合する、きわめて進歩した設計で製造することができる。エンボスは、積層の間に、エンボス加工された構造の鋼板に表面をプレスするときに作られる。これは、鋼板および印刷紙が所定の位置に正確に配置されることを必要とする。位置決めを得るために特別なカメラを用いなければならず、かつ含浸の間における装飾紙の制御されない膨潤が主な問題を生じさせる。エンボスの深さは、エンボスが鋭い縁部にあるいは０．２〜０．３ミリメートルを超える深さに成形されるときに損傷し得る紙によって制約される。粗い石の表面、手作業でなめした木の表面に似ているエンボス加工された表面、あるいはパネルに斜面を作るために用い得る深い溝を、現在のプレス技術、および現在の技術的な特性および設計を維持するための合理的な原価構成で作ることは可能ではない。
【００２４】
積層床板および直接印刷床材に類似した木質繊維ベースの床材は、耐摩耗性および耐衝撃性を高めることができ、１つ若しくはいくつかの製造段階を省くことができ、より魅力的なデザインを得ることができれば、かなりの市場占有率を得ることができる。
【００２５】
［目的および概要］
この開示の実施形態の全体的な目的は、公知の建物用パネルよりも良好な特性および／または原価構成を有した建物用パネル、好ましくは床パネルを提供することにある。
【００２６】
この開示の実施形態の第１の目的は、現存する木質繊維ベースの床材より高い耐摩耗性および好ましくはより高い耐衝撃性を具備した摩耗層を有する、繊維ベースのパネル、好ましくは床用パネルを提供することにある。
【００２７】
この開示の実施形態の第２の目的は、公知のタイプの床よりコスト効果の高い方法で床パネルを製造し、かついくつかの製造段階のうちの１つがよりコスト効果の高い方法で作られあるいは完全に取り除かれる、繊維ベースの床材およびそのような床材を製造するための製造方法を提供することにある。
【００２８】
この開示の実施形態の第３の目的は、好ましくは高い耐摩耗性およびコスト効果の高い製造と組み合わせることができる、新しい魅力的なデザインの繊維ベースの床材を提供することにある。
【００２９】
この開示の実施形態の第４の目的は、より有利な原価構成および／または設計および／または摩耗、衝撃および音のような特性を具備したパネル、好ましくは床パネルを製造するために用いることができるコア材、表面層、あるいは表面層とコア材の組合せを提供することにある。
【００３０】
この開示の第１の態様によると、木質繊維から構成された表面層およびコアを備えた建物用パネルが提供される。この表面層は、天然樹脂、バインダおよび耐磨耗性粒子を含む木質繊維の実質的に均一な混合物から構成される。
【００３１】
この開示の実施形態は、公知の技術、特に通常の積層床板対していくつかの利点をもたらす。
−  均質な混合物である耐磨耗性の表面層を極めて厚く作ることができるとともに、極めて高い耐摩耗性を達成することができる。
−  均質な表面層に取り込むことができるとともにエンボス加工と整合する深いエンボス加工および別々の装飾材料により、新規かつ極めて進歩した装飾効果を得ることができる。
−  より厚くてより高い密度を有した均質な表面層により、増加した耐衝撃性を達成することができる。
−  均質な表面層は、音および耐湿性に対して明確な効果を有する粒子を含む
−  より安価な材料を用いることができるとともにいくつかの製造段階を省くことができるので、生産コストを減少させることができる。
【００３２】
耐摩耗性の粒子は、好ましくはアルミニウム酸化物の粒子である。他の適切な材料は、例えばシリカあるいは炭化ケイ素である。一般的に、７０あるいはそれ以上のロックウェルＣ硬度の材料の全てを用いることができる。
【００３３】
この開示の実施形態は、均質な混合物でありかつ別々の層ではない耐磨耗性の表面層をより厚く作ることができるとともに、現存する積層床材よりも５〜１０倍良好な耐摩耗性を達成することができるという利点をもたらす。その表面摩耗が例えば１０，０００回転毎に０．１０ｍｍの厚みを減少させるにすぎない、耐磨耗性の表面層を作ることができる。５０，０００回転でも約０．５ｍｍの厚みを減少させるだけであり、かつ耐摩耗性および装飾的な特性は維持される。適切な耐摩耗性粒子は、好ましくは酸化アルミニウムであり、かつバインダは、好ましくはメラミン樹脂のような合成熱硬化性樹脂である。
【００３４】
装飾効果は、木質繊維、他のタイプの繊維、および／または装飾的な耐摩耗性粒子のみによって得ることができる。しかしながら、装飾効果は、最も好ましい実施形態においては、均質な表面層に付加される着色顔料によって得られる。
【００３５】
天然樹脂、例えばリグニンを含む表面層内の木質繊維は、ＨＤＦあるいはパーティクルボードに用いるものと同じタイプとすることができる。したがって、それらは不透明であり、被覆紙シートのように透明ではないそのような繊維の原材料の価格は、透明性を得るために製造工程において天然樹脂が取り除かれるαセルロース繊維のそれよりかなり低い。
【００３６】
特に好ましい実施形態は、表面層および木質繊維ベースのＨＤＦあるいはパーティクルボードのコアを備える床パネルである。表面層は、ＨＤＦあるいはパーティクルボードに用いられるものと同じタイプの天然樹脂、合成熱硬化性樹脂のバインダ、酸化アルミニウム粒子および着色顔料から構成される木質繊維の実質的に均質な混合物を備えている。
【００３７】
ここで言及できることは、非限定的な実施例としての表面層を、例えば約２５（重量）％の酸化アルミニウム、約２５％の木質繊維、約２５％のメラミンホルムアルデヒド樹脂、および約２５％の着色顔料から構成できることである。表面層は、例えば０．１ｍｍ 〜 ３ｍｍの範囲、あるいはより大きい厚みを有することができる。他の組合せも、もちろん可能である。メラミン樹脂の部分は、例えば１０〜３５％の間で変化させることができる。着色顔料の含有量は、きわめて低く例えば約０．１〜５％である。耐摩耗性の粒子は、同じ範囲とすることができるが、数パーセント〜３５％およびより多い範囲で変化させることができる。この混合物は、所望の特性および原価構成に適したものでなければならない。バインダは、一般的に、高い耐衝撃性および耐湿性の表面をもたらすために貢献するが、それらの費用はかなり高い。いくつかの耐摩耗性の粒子もまたかなり費用が高い。木質繊維および他の繊維は、一般的に、特にそれらがリサイクルされた部材に由来する場合はかなり安価である。
【００３８】
耐摩耗性の粒子、例えば酸化アルミニウムの積層床材の耐衝撃性に対する貢献はきわめて限られている。それが、きわめて薄い層（０．１ｍｍ）として付加されるだけであり、かつその含有量が概ね約１０〜 ３０ｇ／ｍ２に過ぎないからである。しかしながら、この開示は、固くて均質な表面層により多くの粒子を用いるとともに、そのような粒子がまた床材の耐衝撃性をかなり増加させることの可能性をもたらす。耐摩耗性の粒子は、好ましくはランダムに分布させるとともに、繊維およびそれらを囲むバインダによって表面層に固定される。非限定的な実施例として言及できることは、この開示による０．５〜１．０ｍｍの表面層が、例えば１００〜４００ｇ／ｍ２およびそれより多い耐摩耗性の粒子を含み得ることである。下限がないこと、およびそのような粒子が少なくとも部分的に繊維組織に取り込まれる場合には、いくつかの用途においては少ない量でも十分であり得ることは明らかである。
【００３９】
耐摩耗性でありかつ装飾的な表面層は、いくつかの選択的な方法で形成することができる。例えばバインダの含有量を増やすことにより、および／または繊維、好ましくは耐摩耗性の粒子の一部を置き換えるために用い得る耐摩耗性の繊維を取り込むことにより、少量の耐摩耗性粒子で強い表面層を生み出すことが可能である。合成樹脂繊維、例えばナイロン繊維またガラス繊維のような鉱物の繊維は、均質な表面層の材料の耐摩耗性を大幅に改良することができる。
【００４０】
この開示の第２の態様によると、木質繊維から成るコアに接続された表面層を備えた建物用パネルが提供される。このパネルに装飾効果および耐摩耗性をもたらす表面層は、繊維、着色顔料、バインダおよび耐摩耗性の粒子から構成される均質な層である。
【００４１】
この第２の態様による表面層内の木質繊維は、完全にまたは部分的に他の繊維に置き換えることができる。好ましい実施形態は、例えば黄麻、亜麻、麻、綿、大麻、竹、バガスおよびシサル麻といった植物性繊維のような繊維を含むとともに、そのような繊維は、植物性繊維ベースの耐摩耗性の表面層を作り出すために耐摩耗性の粒子、例えば酸化アルミニウムと混合することができる。合成樹脂繊維、例えばナイロン繊維、または鉱物繊維、例えばガラス繊維はまた、特に好ましい実施形態に用いることができる。上述した繊維の全ては、例えば木／竹、ナイロン／ガラス繊維と混合することができる。セラミックバブルは、例えば断熱性および音響吸収性を高めるために繊維と混合することができる。そのような粒子はまた不燃性でもある。
【００４２】
コア内の木質繊維はまた、表面層について上述したものと同一の方法で、部分的にまたは完全に合成樹脂繊維、鉱物繊維あるいは植物性繊維で置き換えることができる。
【００４３】
熱硬化性のバインダが好しいが、熱可塑性樹脂バインダもまた用いることができる。この開示の全ての実施形態において、コアおよび表面層に同じタイプのバインダを含むことが好ましいが、例えばコアの熱硬化性バインダと表面層またはその反対側の熱可塑性樹脂バインダとの組み合わせは排除されない。
【００４４】
高密度の、例えば酸化アルミニウムのような耐摩耗性粒子を含むとともに、そのような粒子が表面層の実質的な厚さ、例えば０．２〜１．０ｍｍにわたって上述したように分布している表面層は、特にそのような層が高含有率のバインダを含む場合に、現存する積層表面より高い密度を有することができる。
【００４５】
そのような表面層は１５００〜２０００ｋｇ／ｍ２またはそれ以上の高い密度を有することができ、その耐衝撃性は、０．１０ｍｍ以下の厚みで画成された極めて薄い被覆にのみ酸化アルミニウムが用いられている従来の積層床材よりかなり高い。この密度は低くすることもできるが、好ましくは１０００ｋｇ／ｍ３低くすべきではない。十分な耐衝撃性は、ＭＤＦまたはパーティクルボードのような柔軟なコア材の高密度な表面層においても得ることができる。高い密度はまた、本物の石の床と同様な音および感覚を床に与えることができる。
【００４６】
コアはまた、特に小さくコンパクトな繊維を多量のバインダと混合して高い圧力下でプレスする場合に、高い密度で製造することができる。
【００４７】
第１の態様の全ての好ましい実施形態を、第２の態様の好ましい実施形態と組み合わせ得ることは明らかである。このことは、例えば同一の圧力、プレス時間、バインダ、繊維、耐摩耗性の粒子、材料組成等を用い得ることを意味している。
【００４８】
この開示の第３の態様によると、以下の段階を備える製造方法が提供される。
１．繊維、バインダ、着色顔料および耐摩耗性粒子から成る粒子を混合する。
２．粒子、繊維、着色顔料、バインダおよび小さい耐摩耗性粒子を高い圧力および温度の下にもたらして、それらを建物用パネルに形成する。
【００４９】
この製造方法は、この開示のすべての実施形態を製造するために用いることができる。
【００５０】
この製造方法は、好ましい実施形態においては、床材を形成するプレス操作において表面層が形成されてＨＤＦコアまたはパーティクルボードコアに結合された、木質繊維、酸化アルミニウムおよび熱硬化性樹脂を含む表面層をベースとしたものである。この好ましい製造方法は、以下の工程を備える：
１．木をチップに煮詰めて木の繊維に分解する。
２．木質繊維を合成熱硬化性樹脂、着色顔料および酸化アルミニウム粒子と混合する。
３．木質繊維、着色顔料、酸化アルミニウム粒子および合成熱硬化性樹脂を、ＨＤＦまたはパーティクルボードのコアの表面上に付加するとともに、高い圧力および温度を負荷してコア上の均質な固体の表面層に形成して床材を形成する。
【００５１】
例えば含浸紙である別のバランス層を、好ましくはプレス操作の間にコアの後側に付加することができる。
【００５２】
着色顔料は、魅力的なデザインを生じさせるために好ましい。もちろん、着色顔料なしのパネルを製造するために、この製造方法を用いることもできる。装飾的な効果は、異なる繊維あるいは耐摩耗性粒子だけによって得ることもできる。酸化アルミニウムは、例えば異なる色で製造することができる。
【００５３】
紙を用いないことおよび積層を必要としないことにより、（２〜８を上回る）製造段階のうちの７割を省くことができる。印刷は、フロアボードの製造に合わせて行うことができる。バインダは、好ましくはメラミンホルムアルデヒド、尿素アホルムアルデヒド樹脂、フェノールホルムアルデヒド樹脂、またはこれらの樹脂の組合せである。適切な圧力は好ましくは約３００〜８００Ｎ／ｃｍ３であり、かつ温度は１２０〜２２０℃とすることができる。プレス時間は、例えば２０秒〜５分まで変化させることができる。特にプレスの前に薄い繊維層をＨＤＦコア上に付加する実施形態においては、きわめて短い、例えば約１０秒あるいはより短いプレス時間を用いることもできる。ＰＶＣ、ＰＥ、ＰＰのような熱可塑性樹脂バインダを用いることができる。他の可能性は、例えば糖またはリグニンのような天然樹脂である。
【００５４】
この製造方法は、好ましくは、繊維が部分的に圧縮されるが硬化しない中間プレス段階を備えることができる。印刷あるいは装飾材料の付加は、中間および最終のプレス加工の間に行うことができる。
【００５５】
装飾的な特徴はまた、硬化の後に付加することもできる。表面を彫るために例えばレーザーを用いることができるとともに、上側の表面部分とは異なる色またデザインの層を含む下側の表面部分まで表面材料が取り除かれるようにして装飾的な溝を作ることができる。色を変えるために、または表面に他のエンボス加工を生じさせるために、さらなる熱および圧力を付加することができる。
【００５６】
例えば木または石を再生するための暗い線あるいは点のような装飾的な模様および効果を生じさせるべく、最終的なプレスの前にレーザを用いることができる。
【００５７】
この方法は、床材の全体を製造するために用いることができる。この方法はまた、公知の繊維板あるいはパーティクルボードのコア、好ましくはＨＤＦコア上に付加される、上側および／または下側の層を製造するために用いることができる。この方法はまた、個々の床要素、あるいは縁部やロックシステムの部品あるいはその全体がプレス加工の間に形成される、完成した床パネルを製造するために用いることもできる。
【００５８】
１つの好ましい実施形態によると、コアおよび表面層を備えたパネルを形成するために、繊維、バインダ、着色顔料および耐摩耗性の粒子あるいは繊維が好ましくは異なる材料組成の少なくとも３つの層で付加される、連続した製造ラインにおいてパネルの全体が製造される。実質的に同一のプレス操作において、連続的にまたは不連続的に表面層およびコアが一体的に形成される好ましい実施形態は、「一体成形パネル」またはＩＦＰと称される。下側の層または一部は、表面層とのバランス取りに適した、実質的に木質繊維およびバインダだけから構成されるバランス層とすることができる。このバランス層はまた、プレスの間にコアに溶着できる予め製造された別々の材料として付加することができる。それはまた、それらがプレスに移動するときに、繊維のための支持体として用いることができる。中間層あるいは中間部分は好ましくは木質繊維およびバインダだけから構成されるコア層であり、かつ上側の層は木質繊維、着色顔料、耐摩耗性粒子または化学薬品から構成される表面層である。
【００５９】
これらの層は、好ましくはコンベヤベルト上に付加されて移動させられ、かつ選択的に、例えば３０〜５０ｍｍの最初の厚みから例えば１０〜２０ｍｍの中間的な厚みへと予備プレスされる。装飾模様は、予備プレスされた表面にインクが貫通するようにする、例えばインクジェット式デジタル装置によって、予備プレスされた表面上にインラインで付加される。この板は、製造ラインの終端にある好ましくは連続したプレス操作において、熱および圧力の下で例えば４〜１０ｍｍの厚さへと最終的にプレスされるが、必要ならば正確な厚さを得るために下側のバランス層の研摩を選択的に行うことができる。
【００６０】
ＩＦＰパネルはまた、積層床材の製造に一般的に用いられる従来型の不連続なプレスを備えた製造ラインで製造することができる。コア、表面層、および好ましくはバランス層は、不連続なプレスにおいて形成されて互いに接続される。
【００６１】
この製造は、好ましくはまた、コアおよび表面層を得る製造段階が２つの別の操作において実行される２段階プロセスにおいて行われる。この製造方法は、「コア上表面(surface on core)」製造あるいはまたはＳＯＣと称される。例えばＨＤＦ、ＭＤＦ、パーティクルボード、ＯＳＢ、合板および類似のシート状材料のような木質繊維ベースの板材のコアは、従来の方法で製造することができる。表面層および選択的にバランス層を備える下側および／または上側の層は、その後、散乱装置によってコアに付加されるが、これはその表面に装飾的な特性を与える段階と一体化することもできる。別々のバランス層を、別々の製造段階で付加することができる。好ましくは上下の層を有したコアは、その後、連続しあるいは不連続なプレス操作においてプレスされ、上側の表面層および選択的なバランス層は硬化して予め製造されたコアに積層されるようにする。全ての種類のコア材料を用いることができるとともに、この方法は、柔軟なコア材およびその表面部分が粗いコア材にも極めて適している。装飾的な表面層は、コアの不規則な表面部分を充填してコアを補強し、あらゆる種類の装飾的な表面構造を有する耐衝撃性のパネルを得ることができるようにする。この装飾的な表面は、従来のラミネートおよび単板床材におけるように、コアの表面による影響を受けない。
【００６２】
コア材料と上側表面層あるいは下側バランス層は、好ましい実施形態によると、３つの製造段階で別々に製造し、また別々の層を例えば接着によってコアに接続することができる。
【００６３】
別々の木質繊維あるいは繊維層は、主に表面層としてまたはバランス層として用いることができるが、以下においては「別々の表面層(separate surface layer)」またはＳＳＬと呼ばれるとともに、連続的にあるいは不連続的に例えば０．３〜 ２ｍｍの厚みに製造することができる。そのような表面層は、積層床材および木質床材の積層板、単板あるいは木質層を、例えばＨＤＦ、ＭＤＦ、パーティクルボード、合板、薄板木質コア等のコアで置き換えるために用いることができる。この表面層は、柔軟なコア材と組み合わせる場合であっても、高い密度および耐衝撃性を有することができる。
【００６４】
これらの３つの基礎的な実施形態、ＩＦＰ、ＳＯＣおよびＳＳＬは、この開示による床を製造するために用いることができる。そのような床は、この出願において、全般的に繊維複合床(Fibre Composite Floor)またはＦＣＦと呼ばれる。それらは、上述したように連続的なあるいは不連続なプレスによって製造することができるとともに、その製造段階は部分的に組み合わせることができる。例えばコアと表面層あるいはコアとバランス層は、ＩＦＰに類似する一体的な形成操作において製造するとともに、ＳＯＣに類似した別々の製造段階においてバランス層または表面層を付加することができる。様々な中間段階による予備的な硬化および最終的な硬化を用いることもできる。
【００６５】
装飾的な特性は、いくつかの方法で得ことができる。表面は、一実施形態においては、好ましくは木質繊維に混入される着色顔料によって装飾される。パネルの全体を着色することができる。あるいは着色顔料は、例えば木質繊維、バインダおよび上側層内の耐摩耗性粒子と混合することができる。印刷パターンは、基本的な色彩で提供することができる。印刷は好ましくは最終的なプレスおよび硬化の操作の前になされるべきであり、このことは印刷が上側繊維層の中に深く浸透するようにする。印刷は、プレスの後で上側の繊維層内にかなりの距離、例えば０．１〜１．０ｍｍ入り込むような方法で付加することができる。負圧は、ベース繊維内への印刷の浸透を容易にしかつガイドするために用いることができる。そのような印刷は、石および木の製品の非常に正確な複製品を作り出すことができるとともに、表面層がかなりすり減ったときにもそのパターンを維持する。非常に耐久性があり装飾的で耐摩耗性の表面は、非常に費用効果的な方法で作り出すことができる。表面層内の微細で良好に分布している繊維は、非常に明瞭かつ正確な耐摩耗性印刷パターンの生成を可能にする。
【００６６】
この装飾効果は、むしろ柔らかい別個の材料、例えば異なるタイプの繊維、木のチップあるいは粒子、織物、樹脂、コルク等から得ることもできるが、それらは選択的に着色顔料と混合することができるとともに、ベース繊維の表面上に突出するパターンとして、最終的なプレスの前に、例えば散乱または押し出しによって付加することができる。
【００６７】
繊維は、機械的な性質を改良するために用いることもできる。例えばガラス繊維のような鉱物の繊維は、強さおよび柔軟性を高めることができるとともに、熱および炎に対する抵抗性を高める。天然繊維は、特性に対してプラスの影響を有している。繊維方向のバラツキは、装飾効果を高めるために用いることができる。
【００６８】
ベース表面上に付加される別個の材料は、プレス後にベース表面の繊維内に浸透する。この浸透は、非常に正確に制御することができる。固い材料組成は、より柔らかい基礎的な繊維の内部に深く浸透する。より柔らかい別個の材料は、より圧縮されてより大きい表面領域に分布する。これらの別個の材料は、好ましくはベース繊維と異なる寸法および／または構造および／または方向付けおよび／または光学的な効果を持つべきであり、それらは所望のパターンと表面構造との間の完全なフィットを自動的に作り出す。別個の材料がベースの繊維組織とは異なる耐摩耗性を有する場合に、設計の効果はさらに顕著となり得る。その表面はブラシをかけることができ、かつ異なる繊維組織は本物の木または石の床のようにより視認性が高くなる。印刷プロセスの間に局所的に付加される耐摩耗性粒子を印刷塗料が含む場合には、類似の効果を得ることができる。表面は、プレスの後に膨張し、拡大しあるいは縮小し得る粒子を含むことができ、それによって平坦ではないあるいはエンボス加工された表面が作り出される。それらが表面層の中に深く延びていることにより、これらの設計効果の全ては、長い期間の間に表面がかなり摩耗したときにも維持することができる。印刷パターンの反復効果は回避することができる。
【００６９】
耐摩耗性が特に高くて装飾的な非木質繊維ベースの材料、例えば、好ましくは０．０１〜０．１０ｍｍのサイズの合成ダイヤモンドの粉末あるいはダイヤモンドの粒子を表面に取り込むことができる。そのようなダイヤモンド粒子は、耐摩耗性を増加させるとともに床の摩擦特性を改善する。他の代替物は、金属の粉または薄片、石の粉末、セラミックの粉体または粒子、砂および他の類似の公知の装飾材料である。
【００７０】
ナノ粒子は、取り込むこともできるし、光沢度、清浄性、ＵＶ安定性、摩擦、耐摩耗性等に関連する改良された特性を表面にもたらすために用いることができる。
【００７１】
装飾的な効果を作り出すために、エンボス加工された鋼製のシートまたはベルトまたは紙マトリックスに表面をプレスする、従来の方法を用いることもできる。その利点は、積層の間に損傷を受ける紙が無いことにより、従来の積層床材よりも非常に深いエンボスを加工できることにある。縁部あるいは主要な表面部分にグラウト線、溝および斜面を作ることができ、そのような構造は主要な表面と同じあるいは異なるタイプのデザインとすることができる。溝は、上述した通りの別個の材料で、部分的にまたは完全に充填することができる。
【００７２】
これらの設計効果の全てを、組み合わせることができる。本発明は、ベース繊維組織上の追加の透明あるいは不透明な層、コーティングまたは類似物を排除するものではない。これらの設計効果は、耐摩耗性粒子あるいは着色顔料を含まない繊維パネルに独立して用いることもできる。この場合、耐摩耗性は、木質繊維およびバインダだけによって生じさせることができる。
【００７３】
これらの設計効果の全ては、公知の技術に反して、印刷および色彩が好ましくは予め形成されてほぼ完成した表面層の内部に深く浸透し、あるいは別個の装飾材料が主な表面層に取り込まれあるいは付加される方法によって作り出される。
【００７４】
この開示の実施形態によると、積層されあるいはラッカーが塗られた表面と同様の非常に光沢がある表面を作り出すことができる。この開示は、更なる製造段階においてより魅力的な表面へとその表面を磨きあるいはブラシをかけ、あるいは取り付けの後に硬い粒子、例えばダイヤモンドの粉末を含むブラシにより数回磨くことができるという利点をもたらす。激しく摩耗した数年後においてさえ、最初の光沢面を再現することができる。
【００７５】
特別な装飾効果および機械的な性質は、異なるタイプの木の繊維あるいは２つ以上の種類の木の組合せ、例えばかしの木、トネリコ、カエデ、ブナ、松、トウヒ、樺、太平洋鉄木または類似物の任意の組み合わせから成る表面層によって得ることができる。これらの異なる木質繊維は、それらが表面層として付加される前に、類似の方法で着色し、熱処理し、改質することができる。
【００７６】
高度な装飾効果は、静電的に付加して配置することができる繊維と装飾的な粒子から得ることができる。この方法は、例えばベニヤに類似した構造を作り出すべく木質繊維を配置して方向付けすることを可能にする。制御された方法で繊維および粒子を分布させるために、重力および気流を用いることができる。
【００７７】
この開示のすべての実施形態における木質繊維を部分的にあるいは完全に置き換えるために、小さい粒子または塵の形態のコルク材料を用いることができる。
【００７８】
コルクが床材の表面または支持層として用い得ることは知られている。この層は、接着されたコルクの顆粒から作ることができし、あるいはコルクの薄板の形態とすることができる。コルクは、主として音を弱めるために、あるいは装飾的な目的のために用いられる。コルクの顆粒は、低い熱伝導率、低い密度あるいは良好なエネルギ吸収性を得るために、例えばコンクリートに混入することができる。床板の表面層を形成するために、粉状コルクをバインダ、好ましくは合成熱硬化性バインダおよび耐摩耗性粒子と混合し得ることは知られていない。
【００７９】
この開示の第４の態様によると、表面層および木質繊維あるいはコルク粒子から構成されるコアを備えた建物用パネルが提供される。表面層は、コルク粒子、合成バインダおよび耐摩耗性粒子の実質的に均質な混合物から構成される。
【００８０】
コアは、従来の木質繊維ベースのコア、例えばＨＤＦあるいは類似物とすることができるし、あるいは部分的または全体的にコルク粒子とバインダ、好ましくは熱硬化性バインダから構成することもできる。着色顔料を含めることもできる。
【００８１】
特に好ましい実施形態は、表面層と木質繊維あるいはコルク粒子から成るコアとを備えたフロアパネルである。表面層は、天然樹脂、合成熱硬化性バインダ、および酸化アルミニウムの耐摩耗性粒子を含むコルク粒子の実質的に均質な混合物から構成される。
【００８２】
コルク表面層の密度は好ましくは８００〜１４００ｋｇ／ｍ３であり、コアの密度は６００〜１０００ｋｇ／ｍ３である。
【００８３】
この開示の実施形態は、従来の積層床材よりも可撓性があって柔らかい表面層を作ることができ、これを維持されたあるいはさらに改良された摩耗および耐衝撃性と組み合わせることができるという利点をもたらす。これはまた、より魅力的な騒音レベルおよびより低い熱伝導率に結びつく。その結果は、より静かでより暖かい床である。
【００８４】
コルク粒子から成るフロアパネルは、上述したＩＦＰ、ＳＯＣおよびＳＳＬと同じ３つの基礎的な実施形態により製造することができる。
【００８５】
この開示の原理は、従来の木質繊維ベースのコア、例えばＨＤＦパネルを置き換えるために用いることができる、コルクから成るコアを製造するために用いることもできる。
【００８６】
２〜５ｍｍのサイズのコルクチップを、密度が３００ｋｇ／ｍ３を超えないパネルへと、きわめて低い圧力で接着できることは知られている。しかしながら、例えば１．０ｍｍ未満のきわめて小さいコルク粒子を熱硬化性バインダと混合し、高い圧力でプレスして、例えばフロアパネルのコア材料として用いることができる高密度パネルを形成することは知られていない。
【００８７】
この開示の第５の態様によると、密度が６００ｋｇ／ｍ３を上回るパネルへと一体にプレスされる小さいコルク粒子および熱硬化性バインダから構成された建物用パネルが提供される。そのようなコルク粒子をベースとするコアは、コルク粒子から成る表面層あるいはこの開示の第１および第２の態様による表面層と一緒に用いることができるが、従来の表面層を有したフロアのコアとして用いることもできる。
【００８８】
コルクのコアまたは表面層は、通常のＨＤＦ材料と同様あるいはそれより良好な、耐湿性、せん断強さ、密度および耐衝撃性といった特性を有することができる。また、コルクのコアの縁部に、強くて高品質な係止システムを形成することができる。コルク粒子の柔軟性は、高い耐衝撃性の達成を可能とする。この特性は、主に熱硬化性樹脂、例えば粉末の形態のメラミンを、好ましくは１０分の数ミリメートルあるいは１００分の数ミリメートルまで小さいコルク粒子と混合し、その後、約３００〜４００Ｎ／ｃｍ２の圧力および１４０〜１８０℃の温度でプレスすることによって達成される。
【００８９】
このコルク製のコアは、例えば積層体、弾力のある表面、繊維ベースの表面、木、ベニヤ、リノリューム、コルクの薄板、壁から壁に敷き詰めたカーペットおよび類似物等の、公知の表面材料と組み合わせて用いることができる。いくつかの利点を達成することができる。薄い表面層、例えばベニヤを、プレスの前に、コルク粒子およびバインダから成る下位の層の上に付加することができる。プレスは、深いエンボス加工あるいは深い溝を作り出すことができるプレス板に対して行うことができる。薄い表面層は、形成されて下位の層に積層される。薄い表面層は、損傷を受けない。コルク粒子がプレス板の構造にしたがって圧縮されて形成されるからである。この加工技術は、プレスによって成形することができる木質繊維あるいは他のタイプの繊維から下位の層が構成されているパネルに用いることもできる。
【００９０】
組合せたコアあるいはパネルは、コルク粒子、あるいは木質繊維の粒子、または木質繊維とコルク粒子の混合物だけから成る異なる層によって製造することもできる。
【００９１】
すべての実施形態において、繊維、耐摩耗性粒子、バインダおよび着色顔料のような異なる材料および異なる材料の混合物を、乾燥した形態で分配して散乱させる乾燥プロセスを用いることが好ましい。しかしながら、例えばバインダが液体の状態で繊維または粒子に混入する、液体あるいは半液体プロセスは除外されない。散乱は、好ましくは乾燥した材料の１つあるいは複数の層に適用される、エンボス加工されあるいは彫刻されたローラーおよびブラシを備える、いくつかのステーションで行うことができる。
【００９２】
耐摩耗性粒子を用いるあるいは用いないすべての実施形態は、屋内あるいは屋外の用途の壁パネルとして直立させて壁に付加するパネルを製造するために用いることができる。そのようなパネルは、斜面部分と係合できる機械的な係止装置を長い縁部上に、かつ例えば国際特許公開ＷＯ２００６／０４３８９３号公報に記載されているような垂直方向の折り返しを可能にする可撓舌片を有した係止装置を短い縁部上に、有することができる。
【００９３】
この開示は、添付の例示的な図面を参照しつつ、好ましい実施形態に関連させてその詳細が以下に説明される。
【図面の簡単な説明】
【００９４】
【図１】図１ａ〜図１ｄは、従来の積層されたフロアパネルを示す図である。
【図２】図２ａ〜図２ｄは、従来のフロアパネルの表面層を示す図である。
【図３】図３ａ〜図ｄは、この開示の一実施形態のフロアパネルを示す図である。
【図４】図４ａ〜図４ｂは、この開示の好ましい実施形態による製造方法を示す図である。
【図５】図５ａ〜図５ｃは、この開示の好ましい実施形態による方法、および装飾的な表面を製造するための製造方法を示す図である。
【図６】図６ａ〜図６ｆは、装飾的な効果を生じさせるための好ましい方法を示す図である。
【図７】図７ａ〜図７ｄは、フロアパネルおよび縁部分を製造するための方法を示す図である。
【図８】図８ａ〜図８ｄは、パネルの表面およびそのような表面を形成するための方法を示す図である。
【図９】図９ａ〜図９ｂは、散乱ステーションを示す図である。
【図１０】図１０ａ〜図１０ｃは、表面層を形成する方法を示す図である。
【図１１】図１１ａ〜図１１ｃは、表面層上に装飾効果を作り出す方法を示す図である。
【図１２】図１２ａ〜図１２ｅは、予め製造されたコア上への表面層の不連続なプレスおよび成形を示す図である。
【図１３】図１３ａ〜図１３ｋは、前側および後側に装飾的な表面を有したフロアパネルの係止を示す図である。
【図１４】図１４ａ〜図１４ｅは、異なるデザインの床板から形成されたフロアパネルに高度なパターンを作り出す方法を示す図である。
【図１５】図１５ａ〜図１５ｄは、異なるデザインの床板から形成されたフロアパネルの好ましい実施形態を示す図である。
【図１６】図１６ａ〜図１６ｅは、表面層のレジスタエンボス加工を得る方法を示す図である。
【図１７】図１７ａ〜図１７ｆは、一体的に形成されたパネルの好ましい実施形態を詳細に示す図である。
【００９５】
［実施形態の詳細な説明］
図１ａに示す公知技術の積層フロアパネル１は、表面層５、コア６およびバランス層７を備えている。
【００９６】
図１ｃは、表面層５を示している。それは、摩耗強度の高い透明材料の上側摩耗層１３を有している。そのような摩耗層は、一般的に、メラミン樹脂が含浸されるとともに酸化アルミニウム粒子１２が添加された透明な紙（被覆）から構成されている。酸化アルミニウム粒子は、プレス加工の間の摩耗からプレス板を保護するために、一般的に被覆の下側部分に配置されている。印刷パターン１１を具備した紙から成る装飾層１０は、メラミン樹脂が含浸されるとともに透明な摩耗層１３の下側に配置されている。摩耗層１３および装飾層１０は、厚さが約０．２ｍｍの表面層５に対する圧力および熱の下で、一般的にＨＤＦのような繊維ベースのコアに積層されている。
【００９７】
図１ｂは、一般的にメラミン含浸紙であるバランス層７を示している。このバランス層は、時間の経過とともに湿度が変化するときにフロアパネルを平坦に保つ。透明な摩耗層は一般的に０．０５〜０．１０ｍｍの厚みである。摩耗層が摺り減ると、装飾的な印刷パターン１１は損なわれる。
【００９８】
図１ｄは、上述した従来の積層床材の上側の表面部分を詳細に示している。透明な酸化アルミニウム粒子１２は、透明な被覆１３を製造する間にパルプに含まれている。
【００９９】
図２ａは、複数の被覆１３を備えた公知の表面層を示しているが、摩耗特性を改善するために適合された印刷をその下側に有している。この表面層においては、これらの層が装飾層１０の上に配置されている。
【０１００】
図２ｂに示されている公知の被覆は概ね半透明であり、着色顔料１５で着色されるとともに装飾層１０の上に配置されている。
【０１０１】
すべての被覆は、微細なαセルロース繊維から作られている。透明性を得るために、未使用の（バージン）木質繊維に存在するすべての天然樹脂が取り除かれている。ラミネート床材の公知の表面は、すべての実施形態において、一定の厚みの明瞭な紙の層から構成されている。装飾特性および摩耗特性を達成するために別個の層が用いられている。すべての耐摩耗層の全体の厚みは０．２ｍｍを超えない。上側の表面層に用いられる精製された高価な繊維と、コアに用いられる精製されていない安価な木質繊維との間には明らかな差がある。
【０１０２】
図２ｃは、ＨＤＦパネル上の公知の直接印刷を示している。着色顔料１５から成るベースカラー１６は、コア６上に付加されている。印刷１１は、ベースカラー上に付加されるとともに、透明ワニス１８によって、またいくつかの用途においては酸化アルミニウムから構成しうる上塗層１７によって摩耗から保護されている。そのような表面層は、色をベースとしたものであり、繊維は用いられていない。
【０１０３】
図２ｄに示されている公知の着色ＨＤＦパネルにおいては、着色顔料１５がコアに含まれている。表面は、透明な上塗層１７で覆われている。そのようなパネルの耐摩耗性および耐衝撃性は低い。
【０１０４】
図３ａは、この開示の一実施形態のフロアパネル１を示している。このパネル１には、木質繊維ベースのコア６と、均質で非透明な装飾層５、および好ましくはバランス層７が設けられている。このパネル１は、表面層、コアおよびバランス層が同一のプレス操作で形成される製造工程において一体的に形成される。
【０１０５】
図３ｂは、表面層５を示している。それは、木質繊維１４、小さく固い耐摩耗性粒子１２、１２、およびバインダ１９の混合物から構成されている。好ましくは、木質繊維は、精製されてない、ＨＤＦおよびパーティクルボードに用いられるものと同じタイプのものであり、それらはリグニンのような天然樹脂を含んでいる。耐摩耗性粒子（１２，１２'）は、好ましくは酸化アルミニウム粒子である。他の適切な材料は、例えば二酸化ケイ素またはカーボランダムである。ダイヤモンド結晶あるいは粉末を表面層に加えることもできる。一般的に、ロックウェルＣ硬度が７０以上のすべての材料を用いることができるが、それらは透明である必要はない。２つ以上の材料の混合物を用いることもできる。図３ｂから判るように、コア６と表面層５の間の結合３４は、２つの層の繊維が混合して融着しているという事実により、明瞭な層ではない。このことが、コアと表面層とのきわめて強い結合をもたらしている。
【０１０６】
表面層は、好ましくは着色顔料１５あるいは他の装飾材料若しくは化学薬品を含んでいる。
【０１０７】
この開示の実施形態は、公知のフロアパネルにおけるよりも耐摩耗層５をきわめて厚くすることができるという利点をもたらす。耐摩耗層および装飾層の厚みは、例えば０．１〜０．２ｍｍから例えば２〜４ｍｍあるいはそれ以上へと変更することができる。装飾的な特性が維持されている時の耐摩耗性は極めて高く、厚みが約１．０ｍｍの表面層においては、例えば約１００，０００回転の範囲あるいはより高い。
【０１０８】
そのようなパネルは、フロアパネルとして用いることができるが、高い耐摩耗性が必要とされる機械や自動車等の部品として用いることもでき、また例えばガラス繊維で補強される複雑な射出成形あるいは押出部品を形成することもできる。
【０１０９】
この開示の好ましい実施形態の表面層は、この表面層の上側部分に配置されるとともに第１の耐摩耗性粒子１２から構成された第１の上側水平面Ｈ１を有した垂直部分Ｐを備えている。それは、第１の耐摩耗性粒子１２の下側に配置されるとともに天然樹脂と木質繊維から構成された第２の中間水平面Ｈ２を有している。それは、第２の水平面Ｈ２の下側に配置されるとともに第２の摩耗性粒子１２から構成された第３の下側水平面Ｈ３を有している。繊維および耐摩耗性粒子は、好ましくは着色顔料と混合することができる。そのような実施形態は、その装飾的な特性を維持する耐磨耗性の高い表面層をもたらす。摩耗が第２の水平面Ｈ２まで第１の上側繊維を取り除いたときにも、この表面は損傷を受けない。約０．１ｍｍの表面だけが取り除かれる。それから、摩耗は第２の水平面Ｈ２まで材料を取り除くが、この表面はその装飾的な特性をまだ維持している。摩耗は、第３の水平面まで材料を取り除かなければならない。そして、耐摩耗性粒子あるいは着色顔料を含む更なる水平面がなくなると、表面はその装飾的な特性を変える。表面層は、互いに隣接するとともにパネルの前側から異なる距離で、例えば０．１ｍｍ、０．２ｍｍ、０．３ｍｍ、０．４ｍｍ、０．５ｍｍ等で配置された多くの水平面を有することができるが、それらは耐摩耗性粒子あるいは木質繊維から構成することができる。この開示の実施形態は、かなり良好な、例えば現存する積層床材より５〜１０倍良好な耐摩耗性を達成できるという利点をもたらす。表面の摩耗は、表面層の厚みを減らすだけである。耐摩耗性および装飾的な特性は、制御されかつ予め定められた方法で完全にあるいは基本的に維持され若しくは変化する。
【０１１０】
好ましいバインダは、メラミンあるいは尿素ホルムアルデヒド樹脂である。その他のバインダ、好ましくは合成熱硬化性樹脂を用いることもできる。
【０１１１】
図３ｃは、好ましくは木質繊維１４″およびバインダから成るバランス層７を、フロアパネルの下側に設け得ることを示している。繊維、バインダおよびプレス温度は、表面層のバランスをとるとともにパネルを平坦に保つために適切な方法で調整しなければならない。バランス層７は、好ましくはより高い温度、例えば表面層５より５〜２０度高い温度でプレスされる。
【０１１２】
ここで非限定的な実施例として言及すると、表面層は、例えば２５％（重量）の酸化アルミニウム、２５％の木質繊維、２５％のメラミン樹脂および２５％の着色顔料を含むことができる。表面層は、例えば０．１ｍｍ〜３ｍｍの範囲あるいはより大きい厚みを有することができる。最も好ましい厚みは、０．５〜１．５ｍｍである。
【０１１３】
図３ｄは、ＳＯＣ原理に基づく事前の別個の操作で製造されたコア６上に表面層５が形成されたパネルを示している。コア６と表面層５との間には明瞭な結合３４がある。この結合３４は、きわめて強いものとすることができる。特にコアが例えばパーティクルボードのようなＨＤＦあるいは木質ベースのパネルである場合に、表面層５からのバインダ１９がコア６の上部に浸透するからである。表面層５内のバインダ１９は、例えば耐湿性を高めるべくコアの上側部分に浸透して補強するように特別に調整することができる。表面層５の上側部分および下側部分には、異なるバインダあるいはバインダ含有量を用いることができる。
【０１１４】
図４ａ、図４ｂおよび図５ａは、繊維ベースのパネルを製造するために用い得る好ましい製造方法を模式的に示している。この方法は、模式的にかつ表面層を上側の層として記載されている。この製造が、表面層を下側の層として行い得ることは明らかである。
【０１１５】
図４ａは、パネル、好ましくはＩＦＰ原理に基づくフロアパネルの製造を示している。散乱ステーションは、バランス層を構成する第１層７をコンベヤ２０上に付加するために用いられる。コア層を構成する第２層６は、バランス層上に同様に付加される。これらの２つの層は、好ましくは木質繊維およびバインダだけから構成される。第３層、表面層５は、コア層６上に拡散ステーションによって付加される。この表面層５は、好ましくは木質繊維、バインダおよび耐摩耗性粒子から構成される。この表面層５はまた、好ましくは、表面層にベース色を与える着色顔料を含む。この製造方法は、好ましくは中間のプレス段階を含み、木質繊維はローラ２１、若しくは連続したプレス装置、あるいは類似の装置によって部分的に圧縮される。繊維は、好ましくは、この中間の製造段階においては少なくとも完全には硬化しない。
【０１１６】
散乱ステーション６０は、各材料組成毎に１つずつの、いくつかの散乱ユニット６０ａ、６０ｂ、６０ｃを有することができる。高度な製造ラインは、最高で１０およびそれ以上の散乱ユニットを備えることができる。
【０１１７】
表面層５に装飾的な特徴を与える、例えばインクジェットプリンタ２２あるいは類似の製造装置による表面上の印刷、着色および類似のデザイン効果は、床板の製造に合わせて用いることができる。印刷は、好ましくは、最終的なプレスの前に、予備プレスされた表面上になされる。
【０１１８】
散乱ステーションは、例えば追加の装飾的な粒子を付加するために、予備プレスの後で用いることもできる。第２の予備プレスおよび装飾材料の更なる付加は、最終的なプレスの前に行うことができる。
【０１１９】
予備プレスされた層は、そのような製造段階を用いる場合には印刷の後に熱および圧力の下でプレスされ、繊維および耐摩耗性粒子は熱および圧力の下で硬化するバインダによって結合する。固くて装飾的な表面層を備えたパネルが得られる。
【０１２０】
連続したプレスが好ましいが、１つあるいは複数の隙間を有した不連続なプレスを用いることもできる。
【０１２１】
選択的に表面デザインと整合させ得るエンボス加工された表面を作り出すために、プレスは、エンボス加工された圧力マトリックス、例えばスチールベルト２３、エンボスシートあるいは紙ベースのエンボス加工されたマトリックスに対して行うことができる。高品質に整合したデザインおよびエンボス加工は、統合されたプレスおよび設計法によって得ることができるが、それは床材の工業分野には用いられない。全てのそのような設計上の特徴は、印刷およびプレスの２つの別個の段階に基づいているからである。
【０１２２】
この開示の実施形態によると、統合されたプレスおよびデザイン「スタンプ」法を用いることができる。それによって、突起を有しているエンボス加工された圧力マトリックスを用いることができるが、それらの突起は、例えば突起の間の低い部分に配置されたマトリックスの部分にではなく突起にだけ塗料を付加するゴムローラにより、選択された塗料で覆われる。プレスの間、表面層の一番上の部分の下側にプレスされる表面の部分にだけ選択された塗料を付加することができ、完全に整合したデザインおよび構造を得ることができる。この「スタンプ」法は、図１６ａ〜図１６ｅに更に詳細に記載されている。プレスサイクルの最初の部分の間に塗料が繊維構造内に浸透するように、塗料およびプレスを選択することができる。塗料とは別の材料、例えば特別な繊維あるいは粒子をプレスマトリックス上に配置されている突起上に付加するために、また表面の一番上の部分よりも深い構造にそれらを付加するために、同じ方法を用いることができる。
【０１２３】
バインダは、好ましくはメラミンホルムアルデヒド樹脂である。圧力は、好ましくは約３００〜８００Ｎ／ｃｍ２であり、かつ温度は１２０〜２２０℃とすることができる。プレス時間は、製造速度、パネルの厚み、バインダ、その他に応じて、例えば２０秒〜５分まで変更することができる。床材の密度は、好ましくは７００〜１０００ｋｇ／ｍ３である。密度が１０００〜１５００ｋｇ／ｍ３で、耐湿性および耐衝撃性がきわめて高い床材を製造することは可能である。表面層は、基本的に１ｍｍより小さい木質繊維を含みあるいはそれから構成することができる。表面層は、基本的に０．５ｍｍより小さい粉末の形態の木質繊維を含みあるいはそれから構成することができる。表面層は、約０．１〜０．３ｍｍの範囲あるいはそれより小さい粒子を有した木の粉末の形態の繊維を含みあるいはそれから構成することができる。コア部分内の繊維の粒子は、０．１〜１．０ｍｍあるいはそれより大きいものとすることができる。
【０１２４】
特に高品質な表面層５は、バインダ、着色顔料および耐摩耗性粒子と混合された木質繊維が予めコーティングされ、バインダ、例えばメラミンあるいは尿素ホルムアルデヒド樹脂とともに完全にまたは部分的に予め硬化し、あるいはプレスされ、次いで、好ましくは当初の木質繊維より小さくてコンパクトな木質繊維の粉末あるいは木質繊維のチップに分離される場合に達成することができる。そのような繊維の組成は、耐摩耗性粒子と混合するのに特によく適しており、印刷操作のためにコンパクトで明瞭なベースを作り出すことができる。耐摩耗性粒子は、表面層の全体にわたって均一に散乱させることができ、高い耐摩耗性および耐スクラッチ性を達成することができる。そのようなコーティングされた繊維は、機械的に切断して小さな木質繊維チップおよび／または木質繊維に分離できるリサイクルされたＨＤＦあるいはＨＤＦベースの積層床材から得ることができる。これらのチップおよび繊維は、それらが酸化アルミニウムまたは小さいメラミン／紙フレークを含む場合であっても、すべての層（５、６、７）に用いることができる。木質繊維は、メラミンおよび紙粒子から分離するとともに、表面層５および／またはコア６および／またはバランス層７にメラミンコート繊維として用いることができる。
【０１２５】
図４ｂが示す、実質的に同一な製造方法は、この好ましい実施形態においてＳＯＣパネルを製造するために用いられる。バランス層７は、コンベヤ上に付加される。バランス層は、上述したような木質繊維ベースの層、あるいは従来の積層床材の製造に用いられる従来のバランス紙とすることができる。予め成形されたコア６、例えばＨＤＦ若しくはパーティクルボードあるいは任意のタイプの板は、バランス層の上に配置される。表面層５は、上述したものと同じ方法により散乱ステーション６０においてコア上に付加され、上側の層および下側の層はプレスの際にコアに接続されて、表面層５、コア６およびバランス層７からパネルが形成されるようにする。
【０１２６】
バランス層７は、装飾的なものとし、かつ耐摩耗性粒子を含むことができる。これは、この開示によるパネルが、その両側に表面層５、５'を有することができることを意味している。そのような表面層は異なるデザインとすることができ、輸送されかつ貯蔵されなければならない物品の数を減少させる。この開示の実施形態はそのような両面パネルにきわめて適している。装飾的な層を後側に設けるためのコストを、かなり限定することができるからである。好ましくは水平方向あるいは垂直方向のスナップ嵌合によってそのようなパネルの係止を可能とするために、機械的な係止システムを適合させることができる。
【０１２７】
図５ａは、別々の表面層として用いることができるパネルを形成するＳＳＬ原理を示している。この製造装置は、上述した他の２つの方法と同じ基本的な方法で用いられる。主な違いは、床材３が、好ましくは約０．５〜３ｍｍの厚みの表面層５であるということである。この表面層は、好ましくは接着剤によって、任意のタイプのコア材料に結合することができる。
【０１２８】
装飾的な特徴は、多くの代りの方法で得ることができる。最も基礎的な実施形態においては、この表面は、実質的に木質繊維および耐摩耗性粒子だけから構成することができる。１つのベース色のデザインがあけば十分であり、そのような場合、着色顔料は木の繊維と混合され、他の設計段階のためのベース構造を形成する予備プレスは必要ではない。しかしながら、予備プレスは、以下の文に後述するように他の目的のために用いることができる。
【０１２９】
図５ｂは、装飾的な模様が、異なる色３０、３１および／または異なる繊維構造、繊維サイズ、繊維タイプの繊維を混合することによって得られることを示している。
【０１３０】
図５ｃは、好ましくは予備プレスされた表面上の印刷に類似した印刷３２あるいパターンを付加するために用い得るインクジェットスプレーヘッド２４を示している。インクは、プレスの前に繊維に浸透し、プレスの後においては硬化した表面の内部深くに配置される。インクまたは着色粒子は、表面の上側部分の下方の０．１〜１．０ｍｍあるいはより深いところに付加することができる。このインクは、好ましくは、上側の耐摩耗性粒子より下側のレベルに浸透する。
【０１３１】
図６ａは、例えば、押し出しヘッド２６を有した押出機２５が、色および／または構造および／または密度および／または耐摩耗性が異なる、別々に押出成形された繊維３３をベース繊維層上に付加できることを示している。押出成形される繊維は、好ましくはバインダおよび選択的に耐摩耗性の粒子と混合される。
【０１３２】
図６ｂは、別個の繊維３３をプレスして表面層５に接合できることを示している。
【０１３３】
図６ｃは、ベース繊維の表面より低い耐摩耗性の別個の繊維３５を付加できることを示している。表面にブラシをかけると、別個の繊維３５の上側の表面の一部が取り除かれて装飾的な溝が得られる。これは、構造と着色デザインとが完全に整合するようにする。
【０１３４】
図６ｄは、表面に装飾的な特性を与えるために、例えば木、金属、合成樹脂その他のフレーク３６のような他の別個の材料を用い得ることを示しており、かつこれらの別個の材料はベース繊維の表面にプレスすることができる。
【０１３５】
図６ｅは、表面にマトリックスをプレスして溝、斜面、グラウトラインおよび類似の物を作り出し得ることを示している。そのようなエンボスは、紙が損傷を受ける従来の積層床材により非常に深くいものとすることができる。例えば１〜２ｍｍあるいはより深いエンボスを容易に得ることができる。
【０１３６】
図６ｆは、表面のデザインが、表面上のパターン内に配置される例えば木の繊維、好ましくは本質的に個々の繊維あるいは個々の繊維の一群から得られることを示している。それらは、本物の木と同様な材料層を構築するように整合された、いくつかの層に付加することができる。
【０１３７】
デザイン効果を作り出す上述した全ての方法は、予備プレス操作の有無にかかわらずＩＦＰ、ＳＯＣおよびＳＬＬの実施形態に用いることができる。
【０１３８】
図７ａは、この開示の一実施形態のパネルを示している。このパネルが備える表面層５は、この開示の一実施形態によって製造されるとともに、公知のコア材６に接着されあるいは積層される。バランス層７は、図７ｂに示したように後側に付加されている。この床材３は、上述したＩＦＰ、ＳＯＣあるいはＳＳＬの原理で製造される。図７ｃは、いくつかの床要素２に切断された後の床板を示している。図７ｄは、長い縁部にある機械的な係止システム４、４'によってフロアパネル１に形成された床要素を示している。機械的な係止システムは、一般的に短い縁部上にも形成される。傾斜、水平および垂直方向のスナップ嵌合およびサイドプッシュ等の係止を可能とする全ての係止システムを用いることができる。しかしながら、フロアパネルは、むしろ単純な係止システムあるいはタイルや石に類似した直線的な縁部を持つことができ、かつそれらはサブフロアに接着することができる。
【０１３９】
図８ａが示している、この開示の一実施形態のパネルは、一般的に従来の積層床材の製造に用いられるものと同じ基礎的な装置で製造することができる。このパネルは、表面層５、ＨＤＦコア６およびバランス層７を備えている。表面層は好ましくは粉末の形態であり、薄い層として散乱させることができるとともに、予め製造された繊維ベースのコア、好ましくは６〜８ｍｍのＨＤＦコア上に０．１〜０．５ｍｍの表面層を形成できるようになっている。バインダは、今日用いられているパラメータと同様のプレス時間、温度および圧力で、従来の連続したあるいは不連続な直接積層プレスでプレスすることができるように適合させることができる。表面層の厚さは変更することができるが、表面層の最終的な厚みがエンボスの深さを上回り、あるいは少なくともこれらのパラメータが本質的に同じ範囲内にあることが好ましい。切断し機械加工した縁部をリサイクルしたＨＤＦ繊維を、表面層に用いることができる。
【０１４０】
図８ｂに示した床パネル１、１'が備える機械的な係止システムは、係止溝４４と協動してパネル１、１を水平方向に係止する係止要素４８を具備した条片４６を有している。この係止システムはまた、舌片溝４９と協動してパネル１、１'を垂直方向に係止する舌片４０を備えている。柔軟な密封材５０は、製造の間にあるいは組立の間に、装飾的な効果を生じさせるためにおよび／または連結部に浸透する湿気を防止するために、２つの縁部の間に付加することができる。製造の間に熱可塑性材料を繊維に取り込むとともに、隣接する縁部の一方あるいは両方と一体化した縁部密封材へと機械加工することができる。
【０１４１】
縁部の形成は、大きな回転ダイヤモンド工具によって従来の方法で行うことができる。上側の縁部は、いくつかの実施形態においては耐摩耗性を極めて高めることができるが、木質繊維マトリックスから耐摩耗性粒子を破壊して分離する高品質なダイヤモンド工具で形成することができる。それに代えて、レーザあるいはダイヤモンド工具による彫刻を用いることもできる。好ましい実施形態は、レーザと彫刻の組合せであり、直線的な切断部分および好ましくは上側の縁部をレーザで形成し、好ましくは表面層の下側のより柔軟なコア材料にあるＵ字溝、空洞および丸められる部分を彫刻によって形成する。レーザ光線は、縁部、好ましくは上側の縁部を熱でシールするために用いることもできる。
【０１４２】
レーザ切断は、粗い石あるいはタイルと同様に見える粗い構造の縁部または溝を形成するために特に適している。そのような粗い縁部は、例えばパネルの縁部の一部がレーザ切断ヘッドに対して変位するときに、焦点位置および／または焦点距離および／またはビームの幾何学的形状が縁部に沿って変化する光線を有したレーザ切断ヘッドで形成することができる。そのような縁部は、従来の切削ツールで形成することができない。これらの方法および実施形態の全ては、従来の積層および木質のフローリングに用いることができる。
【０１４３】
図８ｃに示されている組み合わせコアを備えるフロアパネルは、例えば表面層５、この開示の一実施形態により互いに結合された例えばコルク粒子から成るコア層６ａ、木質繊維から成る木質繊維ベースのコア６、および例えばコルク粒子から成るバランス層７を有している。すべての層は、密度を異ならせることができる。
【０１４４】
図８ｄは、本質的に水平方向に延びる溝５２を、表面層の下側のコアにおける、例えば彫刻、従来の機械加工あるいはレーザ切断によって形成できることを示している。本質的に垂直な切断部分５１は、同じ方法で表面層に形成することができる。また、上側の表面は限定された機械加工および工具によって取り除くことができる。粗い傾斜部分は、同様の方法で縁部に形成することができる。
【０１４５】
図９ａ、図９ｂは、乾燥した材料を層に分布させるために用いることができる散乱ステーション６０を示している。繊維、耐摩耗性粒子、粉末の形態のバインダおよび粉末の形態の着色顔料は、例えば混合して、彫刻ローラ５３に接触している容器５５に加えることができる。このローラ５３は、回転の間に混合材料５６がブラシローラ５４と接触するようにし、材料５６はコンベヤベルト２０上にあるいは他の層若しくは板の材料上に付加される。
【０１４６】
大きくて重い材料が軽い粒子の下に付加される図９ａから判るように、かつそれとは反対のことが生じる図９ｂから判るように、材料の流れの方向は粒子の位置に影響を与え得る。異なる層への粒子の分離は、コンベヤベルト２０に向かってより垂直方向に落下する軽い粒子よりも遠くに重い粒子が分散するようにするブラシローラ５４によって得ることができる。
【０１４７】
硬い耐摩耗性粒子は、製造の間に鋼板上にひどい摩耗を生じさせる。この問題は、以下に述べるいくつかの方法のうちの１つを用いることによって回避することができる。
【０１４８】
上側の層は、メラミン粉末および基本的に平らな酸化アルミニウム粒子を含むことができる。
【０１４９】
例えば繊維およびバインダだけで酸化アルミニウム粒子を含まないきわめて薄い上側の層を、耐摩耗性の層の上に付加することもできる。この薄い層は、取付けの後に短期間で消失する。しかしながら、装飾的な効果は、この表面層の固い構造によって維持される。
【０１５０】
表面層の上側部分は、例えば本質的にメラミン樹脂のみから成る、薄い層から構成することができる。
【０１５１】
表面層の上側部分にある耐摩耗性粒子は、極めて小さく、ナノサイズの粒径を有している。
【０１５２】
薄い単板は、より厚くてより固い木の表面層と同様の外観を与える表面層を製造するために、繊維層と組み合わせることができる。単板はまた、コアを形成するために用いるものと同じ製造段階で形成して木質繊維ベースのコアに接続することができる。この方法は、この開示の実施形態の全体的な目的により、コストを減少させるとともに製造段階を省くことができる。
【０１５３】
図１０ａ〜図１０ｃは、薄い表面層５、例えば０．３〜１．０ｍｍの厚みの単板の層を、むくの木と同様の外観を与える深層構造と共に如何にして形成することができるかを示している。図１０ａは、如何にして床板を製造できるかを示している。薄い表面層５は、例えばコルク６ａあるいはバインダ、好ましくは熱硬化性のバインダと混合される木質繊維から成る下位層６ｂ上に付加される。下位層６ｂは、例えば木質繊維ベースのコア、好ましくはＨＤＦコア上に付加される。他のコア材、例えばパーティクルボード、合板、可塑材、天然繊維の不織含浸材料、その他を用いることができる。バランス層７は、コア６上に付加することもできる。図１０ｂは、コア層がエンボス加工されている圧力マトリックス２３によって如何にプレスされるか示している。このプレスは、熱および圧力の下で互いに結合して硬化する、下位層６ｂおよび表面層５を形成する。きわめて深いエンボスを得ることができるとともに、手作業でなめしたむくの木と同様な粗い表面を薄い単板から生成することができる。下位層は、表面層の特性、例えば吸音性および耐衝撃性を改良するために用いることができる。この方法はまた、ＩＦＰ原理に基づいてコア上に単板を直接付加するために用いることができるし、従来のＨＤＦ製造ラインに用いることもできる。ＨＤＦが形成されるとともに、単板は同じ製造段階においてコアに積層される。この方法は、ＨＤＦの研摩および薄板の接着を省くことができるので、コストを低減する。
【０１５４】
上述した実施形態の全てを、個別に、あるいは組合せて用いることができる。
【０１５５】
この開示の実施形態による耐摩耗性の高い表面層を有した床パネルは、従来の鋸で切断することが困難である。この床パネルは、図６ｆに示したように表面層５の下側まで溝３９を作ることができる後側から切断することが好ましい。次いで、この床パネルは、折り曲げて分割しあるいは分離することができる。
【０１５６】
同一のプレス操作において、個々の床要素２あるいは床パネル１を製造し、係止システムの一部を形成することができる。タイルおよび石の形の製品を係止システムのない個々の製品として製造するとともに、それらの係止システムを予め接着された層によって後側に形成して、サブフロアに取り付けることによって従来の方法で容易に組み立てることができるすることができる。機械的な係止システムはまた、従来の方法である接着剤による取り付けを容易にするために用いることもできる。後側は、接着を容易にする、粗い構造あるいは特別に適合させた構造で製造することができる。
【０１５７】
製造を簡単にして工具の摩耗を減少させるために、耐摩耗性粒子なしの特別に柔軟な繊維あるいは材料を、床板の床パネルへの分離が行われるとともに係止システムの部品が形成される表面に、局所的に付加することができる。後側に予め形成された溝は、分離を容易なものとすることができる。
【０１５８】
図１１ａは、好ましくは設計あるいは構造が異なる２つの別々の表面層５、５'を備えたパネルを示している。装飾的な溝８は、図１１ｂに示したように、下側の表面層５'が見えるような深さに形成することができる。きわめて精密で魅力的なデザイン効果を得ることができる。
【０１５９】
図１１ｃに示したようなパターンの形態あるいはシャブロン(schablon)２７を介した散乱は、装飾効果を作り出すために用いることができる。好ましくは、バインダ１９および／または着色顔料１５および／または耐摩耗性粒子１２と混合した、異なる色および構造の繊維１４は、明瞭な表面部分上に付加することができる。
【０１６０】
様々な方法で、表面上に装飾的な部分を形成するために、異なる色または構造の繊維を用いることもできる。例えば、プレスの前に取り除かれあるいは表面に含めることができる材料から構成されている薄い壁によって区切られている明確に定められた表面部分に繊維を付加する別々の押出機によって、好ましくはプレスの間に下に向けられているパネル表面の製造の際に行うことができる。
【０１６１】
図１２ａ〜図１２ｅは、好ましいＳＯＣ原理のパネルが不連続なプレス操作において如何に形成されるか、およびそのような製造に関連する問題を、いくつかの段階で示している。例えばＨＤＦの予め製造されたコア６は、図１２ａ，図１２ｂに示したように予め製造されたバランス層７上に配置される。好ましくは乾燥した形態の木質繊維、バインダおよび着色顔料から構成された表面層５は、図１２ｃに示したように、散乱あるいは塵散乱装置によってコア上に配置される。表面層およびバランス層を有したコアは、図１２ｄに示したように不連続なプレスにおいてプレスされ、図１２ｅに示したような床板に形成される。図１２ｃおよび図１２ｄは、柔軟な表面層５が、最終プレスの前に、上側３７および下側３７'のプレステーブルが閉じるときに排気されなければならない多量の空気４５を含んでいることを示している。これは、制御されない方法で柔軟な表面材料を変位させる空気流４５を生じさせる。この問題は、異なる方法で、例えば最終プレスの前の表面層の予備プレスによって、あるいは過剰な空気を抜き取る負圧を負荷することによって、解決することができる。負圧は、コアの後側に負荷することができるとともに、例えばマトリックスあるいは表面上の剥離紙と組み合わせて用いることができる。ＨＤＦコアは十分な有孔率を有しており、後側に負荷された負圧が前側の表面に影響を及ぼす。表面層を安定させるために、繊維上にスプレーされる液状の樹脂あるいは水を用いることもできる。
【０１６２】
図１３ａ〜図１３ｋは、その両側に表面層５，５'を備えるとともに、垂直方向のスナップ嵌合（図１３ａ、図１３ｄ）、傾斜したスナップ嵌合（図１３ｇ，図１３ｈ）、および水平方向のスナップ嵌合（図１３ｉ）によってそのようなパネルの取り付けを可能にする係止システムを備えた、両面フロアパネルの実施形態を示している。この係止システムは、図示の実施形態においては、低い係合抵抗によってスナップ嵌合を容易にする別個の柔軟な舌片９あるいは係止要素９ａを有している。類似の単一片の係止システムを用いることもできる。公知の係止システムは、隣接するパネルの前側および後側が、好ましくは締まり嵌めによって互いに係合し得る縁部表面３８，３８'を有するように適合されている。この開示に記載した床パネルのケースの場合のように、第２の表面層のための追加の費用が抑制されるならば、床パネルの両側を用い得ることは有利である。
【０１６３】
図１４ａ〜図１４ｅは、ベースのオリジナルの床板がむしろ単純な表面デザインを有している場合はもちろん、きわめて進歩的な表面デザインの床パネルを製造するために用い得る方法を示している。この「コンビパネル」法は、特にこの開示の実施形態の複合床材に適しているが、例えば積層床板、リノリュームおよび弾力のある床材に用いられる印刷、着色、あるいは他の人工的なデザインをベースとした表面デザインの他の床パネルに用いることもできる。
【０１６４】
この方法は、異なるデザインあるいは構造の第１および第２のオリジナルの床材３，３'（図１４ａ）が、第１のタイプの床要素２，２'に切断される（図１４ｂ）製造段階を有している。この第１のタイプの床要素は、第１および第２のオリジナルの床板の少なくとも一つの床要素から成るコンビ床板３ａに接続される（図１４ｃ）。このコンビ床板３ａは、第１および第２のオリジナルの床板の表面部分を含む第２のタイプのコンビ床要素２ａに切断される（図１４ｄ）とともに、好ましくは縁部にある機械的な係止システムによってコンビ床板１に形成される（図１４ｅ）。第１のタイプの床要素２，２'は、コンビ床板３ａを形成するために、機械的な係止システムによって互いに接続される。従来の舌片および溝もまた用いることができる。この方法は、限られた範囲のむしろ単純なオリジナルの床板３，３'から、広い範囲のきわめて進歩的なコンビ床板１を製造できるという利点をもたらす。様々なタイプのプレス板の必要性が低下する。例えば広い範囲の積層床材を、限られた範囲の装飾紙から製造することができる。
【０１６５】
図１５ａ〜図１５ｄは、極めて進歩的な装飾効果をコスト効果的な方法で作り出すために、このコンビパネル法を用い得ることを示している。第１のタイプのコンビ床板３ａは、上述したように製造することができるとともに、同様に製造された異なる床要素の組合せあるいはデザインの第２のタイプ３ａのコンビ床板と接続することができる。第１および第２のタイプのコンビ床板３ａ，３ａ'は、図１５ｂに示したように新規なコンビ床板３ｂに接続することができるとともに、図１５ｃに示したように新規なコンビ床要素２ｂに切断することができる。そのような新規なコンビ床要素２ｂは、２つ、３つ、４つあるいはそれ以上のオリジナルの床板の表面部分を備えることができる。コンビ床板に組み合わせられる異なるサイズのコンビ床要素を形成するために、２、３のオリジナルの床板を用いる場合においても、その組合せ効果はほぼ無制限である。装飾的な溝を有した床要素は、装飾効果を高めることができる。オリジナルのエンボスの方向を回転させると、さらに装飾的な組合せが増加する。異なるサイズの好ましくは装飾的な溝を有したコンビ床要素を用いる場合には、例えば白と黒のオリジナルな床板の組合せでさえ、進歩した装飾効果を生じさせ得る。
【０１６６】
コンビ床要素の長い縁部は、図１４ｃに示したように形成することができるとともに、図１４ｆに示したようにコンビ床パネル１の短い縁部にある、係止システムとして用いることができる係止システム４ａ，４ｂによって接続することができる。このことは、係止システムを形成するための短い縁部の最終的な機械加工を不要とし、かつ全てのコンビ床要素を同一サイズとすることができるので、製造コストを減少させる。より高度な係止システム、例えば垂直方向の係止を可能とする柔軟な舌片を有した係止システムを、最終的な機械加工プロセスにおいて短い縁部上に形成するために用い得る、特別な係止システムもまた作ることができる。最終的な機械加工は、きわめて単純なものであり、かつ単純な水平方向あるいは垂直方向の溝に限られる。
【０１６７】
図１６ａ〜図１６ｅは、特にこの開示の実施形態の複合床材において、整合したエンボス表面（ＥＩＲ）を具備した表面層を生成するための好ましい方法を示している。エンボス圧力マトリックス２３は、好ましくは、図１６ａに示したようにエンボス突起２９を有した表面を有するシート、構造化された紙、ローラおよび類似物として提供される。装飾材料、例えば塗料あるいは着色繊維または類似物は、付加装置、例えばゴムローラ２８あるいは類似物によって突起２９上に付加される。図１６ｃに示したように硬化していない繊維およびバインダを含む表面層５が提供され、かつ図１６ｄに示したように圧力マトリックス２３が表面層５にプレスされる。装飾材料２９が最も低い表面部分に配置され、図１６ｅに示したように完全に整合したエンボスが得られる。
【０１６８】
この方法は、プレス操作における表面の最終的な形成および硬化の間に装飾的な部分を表面に含めることができる、全ての種類の表面に極めて適している。プレスの間にベースの繊維構造に浸透する塗料を用いることができる。
【０１６９】
以下の説明および図１７ａ〜図１７ｆは、この開示の範囲内で調査されたいくつかのプロセスの変形例の説明的な実施形態を示すことを意図したものである。
【０１７０】
第１の実施例は、全体厚さ８〜１０ｍｍ、約１ｍｍの表面層、約１ｍｍのバランス層を有する一体成形パネル（ＩＦＰ）に関するものである。
【０１７１】
＜実施例１＞
このケースでは、結果として得られた製品は、エンボス紙を介して達成された装飾的な表面組織を有している。
【０１７２】
以下の原材料を用いた：  
−  粉末の形態のメラミン樹脂
−  粉末の形態７０〜１１０ミクロンの酸化アルミニウム
−  着色顔料
−  機械的に分離された、天然樹脂を含む、ＨＤＦ／ＭＤＦパネルの木質繊維
【０１７３】
プロセス操作：
−  乾燥および湿度の制御
木質繊維は、プロセスに適した含水量、例えば５〜８％に乾燥させた。
−  篩分け
篩分け操作は、更なる処理に適した繊維、および寸法をさらに小さくするために機械的な製粉を必要とする繊維へと、繊維を分離しかつ分類するために用いられる。
−  製粉
大きな繊維を含む繊維留分は有用なサイズに製粉されて、篩分け操作へと再循環させる
−  混合
原材料は、均質な混合を保証する機械的な乾燥混合技術を用いて、表面層、コアおよびバランス層のような異なる層に適した組成に混合される。異なる組成物は、別々の容器に格納される。
−  表面層の組成
ＩＦＰ製品の表面層は、メラミン樹脂（例えば、Kauramine 773, BASF,ドイツ）、酸化アルミニウム（例えば、ZWSK180, Treibacher,オーストリア）、着色顔料、例えば黒色顔料（例えば、Bone Black, Alfort & Cronholm, スウェーデン）、および１５０μｍより小さい繊維サイズに篩をかけた木質繊維（例えば積層床材の倣削りの製造廃棄物）の以下の混合物をベースとしたものである。
【０１７４】
この説明的な実施形態においては、以下の調合を用いた。
【表１】
0005595924.tif 000002
【０１７５】
コア層
パネルのコア層は、メラミン樹脂（例えばKauramine 773, BASF,ドイツ）と、１５０〜６００μｍの範囲の繊維に製粉した木質繊維（例えば積層床材の倣削りの製造廃棄物）との混合物をベースとしたものである。
【０１７６】
以下の調合の組成を用いた：
【表２】
0005595924.tif 000003
【０１７７】
バランス層
パネルのバランス層は、メラミン樹脂（例えば、Kauramine 773, BASF,ドイツ）、黄色顔料（例えば、Yellow Ochre, Alfort & Cronholm,スウェーデン）、および１５０μｍより小さい繊維寸法へと篩にかけた木質繊維（例えば積層床材の倣削りの製造廃棄物）の混合物をベースとしたものである。
【０１７８】
以下の調合の組成を用いた：
【表３】
0005595924.tif 000004
【０１７９】
−  最上層の散乱
パネルはその装飾層を下向きにして製造される。したがって、散乱の初期ステップは、エンボス加工紙２３（Sappi、米国）のような表面組織材料を図１７ａに示す薄いアルミニウム板上に配置することである
次いで、図９ａに示した散乱装置を用いて最上層の材料５をエンボス加工紙２３上に散乱させた。これは、図１７ｂに示されている。
コア層６の材料は、図１７ｃに示すように最上層５上に散乱させた。
【０１８０】
−  支持層の散乱
バランス層７は、図１７ｄに示したようにコア層６上に散乱させて剥離紙で覆われる。
【０１８１】
−  ローディング
散乱させた層を担持するアルミニウム板をプレスに装着する。
【０１８２】
−  プレス
散乱させた層は、図１７ｅに示したように、プレスの上側および下側のプレステーブル３７，３７'により４０キログラム／平方センチメートルの圧力でプレスした。プレスは、両側から１６０℃まで加熱し、２分間拘束した。積層された材料は、プレスを開放する前に４０℃まで冷却した。
【０１８３】
−  アンローディング
プレスを開放したときに、積層されたパネルを持ち上げてプレスから取り出し、エンボス紙および剥離紙を取り除いた。その結果として得られた製品は、本実施形態においては床板３であり、図１７ｆに示されている。この床板は、その装飾的な表面層５を上向きにして示されている。
【０１８４】
−  鋸引き、倣削り及び包装
床板は、床要素に切断するとともに、その縁部に機械的な係止システムを有した床パネルに機械加工した。最終的な製品は、好ましくは包装および輸送の前に適切な環境に調節することができる。
【０１８５】
＜実施例２＞
以下のプロセスの説明は、予め製造された別々のコア上に表面層が製造されるコアパネル上の表面層（ＳＯＣ）に関連している。この好ましい実施例のパネルは、約０．４ｍｍの装飾層を備え、かつ全体厚さは約８ｍｍである。
【０１８６】
以下の原材料を用いた：
−  粉末の形態のメラミン樹脂
−  酸化アルミニウム
−  顔料
−  木質繊維
−  コアとしての高密度繊維板（ＨＤＦ）
−  バランス層としての裏紙
【０１８７】
プロセス操作：
乾燥および湿度の制御、篩分け、製粉および混合操作は、上述したＩＦＰパネルにおけるものと実質的に同一である。
【０１８８】
−  表面層
この製品の表面層は、メラミン樹脂（例えば、Kauramine 773, BASF,ドイツ）、酸化アルミニウム（例えば、ZWSK180, Treibacher,オーストリア）、黒色顔料（例えば、Bone Black, Alfort & Cronholm,スウェーデン）、および１５０μｍより小さい繊維寸法へと篩にかけた木質繊維（例えば、積層床材の倣削りの製造廃棄物）の混合物をベースとしたものである。
【０１８９】
表面層の組成は、以下の通りである：
【表４】
0005595924.tif 000005
【０１９０】
−  コア上への散乱
この製品は、その装飾的な表面層を上側にして製造された。したがって、散乱の最初のステップは、コア材料（７．８ｍｍのVarioboard（高密度繊維板（ＨＤＦ））、Wiwood、スウェーデン）を図９ａに示した散乱装置の下側に配置することである。
次いで、表面層の材料をＨＤＦ上に散乱させた。
【０１９１】
−  ローディング
散在する表面層を支持しているＨＤＦを、剥離箔で支持されている裏紙（例えば、メラミン樹脂を含浸させた、２００ｇ／ｍ２の紙、DKB、ドイツ）の上面に配置した。また、散乱層は剥離箔で覆った。この材料をプレスに装着した。
【０１９２】
−  プレス
プレスを閉じて、４０ｋｇ／ｃｍ２の圧力とした。このプレスは、両側から約１８０℃に予熱して２０秒間保持した。
【０１９３】
−  アンローディング
プレスを高温状態で開放したときに、積層された製品を持ち上げてプレスから取り出し、剥離箔を取り除いた。製品を放置して周囲温度に冷却した。
【０１９４】
−  鋸引き、倣削り、包装、その他は、ＩＦＰパネルと同様に行った。
【０１９５】
記載したＳＯＣ製造方法は、従来の積層床板に対して約４倍の耐摩耗性を有する表面層を床パネルに生成することを可能とする。耐衝撃性は、より良好である。プレス時間は実質的に同一であり、これはプレスの能力およびコストが両方の製品について実質的に同一であることを意味している。しかしながら、従来の積層床材パネルにおけるより多くの酸化アルミニウムおよび着色顔料を表面層が含んでいる実施形態においても、ＳＯＣパネルの表面層の原材料のコストは低い。主要なコストの優位性は、表面紙を製造し、印刷し、含浸させる必要がないという事実にある。
【０１９６】
表面層の繊維は、上述したように、好ましくは縁部の切断および機械加工からリサイクルした繊維である。上述した実施例におけるＳＯＣパネルの表面の繊維含有量は全体の繊維含有量の約５％であり、これは縁部の機械加工から得られる繊維の量と実質的に同一な量である。これは、繊維のコストがほぼ０であることを意味している。従来の積層床材の製造は、かなりの量の過剰な繊維を生じさせ、そのような繊維はこの開示に基づいて床パネルの表面、コアおよびバランス層に用いることができる。
【０１９７】
一般的にＨＤＦより生産コストの低いパーティクルボードコアは、製造コストをさらにさらに減少させるために用いることができる。
【０１９８】
本発明は、記載した実施形態および図には限定されない。
【０１９９】
バインダは、例えばホルムアルデヒドフリーなバインダから構成することができるが、それは積層床材に使用されている従来のバインダより環境にフレンドリーであるとみなすことができる。好ましいホルムアルデヒドフリーな合成バインダは、適切な架橋剤を含む例えばカルボキシあるいはヒドロキシファンクションポリエステルのような、液体あるいは乾燥した熱硬化性バインダである。そのようなものの実例は、カルボキシ・ファンクション・ポリエステルUralac P880 (DSM, NE)および硬化剤Primid XL-552の組合せである。用いることのできる他の合成熱硬化性バインダは、官能化されたポリアクリレートである。適切な官能基化は例えばカルボン酸であるが、それはエポキシおよび／またはヒドロキシ官能価と組み合わせることができる。ヒドロキシおよびカルボキシ官能基化の組合せの実施例は、例えばBASF（ドイツ）によって作られているAcrodur 950Lに見いだすことができる。バインダの比率、プレス時間および圧力は、実質的にメラミンホルムアルデヒド樹脂に関するものと同じである。使用可能な他のホルムアルデヒドフリーな熱硬化性バインダは、ポリエステル、ポリカーボネート、ポリカプロラクトンをベースとするポリオール化合物の組合せのようなウレタン化学をベースとするもの、またはジフェニルメタンジイソシアネート（ＭＤＩ）のような塩基性イソシアネートを含むイソシアネートファンクショナル化合物等のポリアシレート化学をベースとするものである。クルードＭＤＩ（ｐＭＤＩ）は、イソシアネート反応基を含む化合物の更なる添加なしに用いることができる。
【０２００】
バインダとして天然樹脂、例えばリグニン、スベリン、変性デンプンあるいは改質タンパク質、または他の類似の天然樹脂を用いることにより、環境にやさしい「グリーンな」製品を得ることもできる。
【０２０１】
密度を低下させるためにおよび／または装飾効果を得るためのプレスの後で厚みを増加させるために、バインダと共に重炭酸ナトリウムのような化学発泡剤を用いることができる。他の類似の発熱性あるいは吸熱性の化学発泡剤は、アゾイソブチロニトリル(AIBN)およびアゾジカルボンアミド(ADC)である。液体を充填したプラスチック微小球体、例えばExpancel（登録商標）の添加により、発泡を容易にするガスまたは液体を用いることもできる。
【０２０２】
シリカエーロゲル、例えばCabosilのような低密度充填剤の導入により、より低い密度を達成することができる。
【０２０３】
好ましくはドライプロセスであるプレス操作は、ウェットプロセスに置き換えることができるが、そこにおいては、例えば面取りされた縁部および好ましくは係止システムを有したフロアパネルを形成することができるように、低い圧力あるいは高い圧力での連続したあるいは不連続な型充填のために、木質繊維、バインダ、好ましくは合成熱硬化性バインダ、および耐摩耗性粒子、好ましくはアルミニウム酸化物から構成される粉末スラリーまたはペーストを用いることができる。そのような製造方法は、上述した実施形態よりも複雑かつ高コストであるが、例えば耐摩耗性のベースモールディングのような特別な用途に用いることができる。
【０２０４】
「スタンプ」法を用いた印刷は、「振動」法に置き換えることができる。パネルがマトリックスに対してその前側を下にして製造される場合は、第１の表面層をマトリックス上に散乱させた後に、振動段階を追加することができる。この振動は、例えばある種の色あるいは耐スクラッチ性の粒子を含む散在させた材料を、マトリックスの最も深い点に配置するために用いることができる。これは、マトリックス上の最も深い部分が、最終的なパネルにおいては最も高い場所にあることを意味する。一般的に位置合わせされたエンボス（ＥＩＲ）と呼ばれる、デザインとエンボスとの間の「完全な」整合を達成することができる。それらがマトリックス上の上側部分およびパネル表面上の下側部分を構成するように、追加の装飾層をマトリックス上に付加することができる。
【０２０５】
例えば表面の硬化の前あるいは硬化の間に、パネル表面上に間接的に印刷を付加するべく、デジタルあるいはダイレクト印刷を用いることができる。「転写」印刷は、アルミ箔あるいはプレス板あるいは構造化させた紙のような支持体上に提供することができる。この印刷は、プレスの前にあるいはプレスの間に支持体からパネル表面へと転写することができる。印刷装置は連続プレスにおいては上側に配置することができ、かつ印刷はスチールベルトのエンボスに対して位置合わせすることができる。そのような転写印刷はまた、最初に構造化した箔上に例えばローラによって色を付加するとともに、構造化した箔の外側部分からスクレーパで色を取り除き、次いで例えばゴムローラでこれらの外側部分の上に新しい色を追加することによって達成することができる。
【０２０６】
オリジナルの製品、例えば石が、色およびエンボスの両方との関係において複製されると、上述した方法で「完全な」再生を得ることができる。再生されたパネルが本物の石のように感じられかつ機能するように、密度および耐摩耗性を調製することができる。着色顔料および他の装飾的であるいは非装飾的な材料を表面に含ませると、異なる熱および／または圧力を負荷したときに異なるデザイン効果を達成することができる。このことは、同一のベース材料で異なる装飾を生じさせるためにプレス板の表面上の熱を変更することにより、装飾的な効果が得られることを意味している。異なる圧力を生じさせるためにプレスマトリックスの構造を用いると、表面上の低い場所および高い場所に異なるデザインを与えることができる。いくつかの表面部分の上に他の隣接部分よりも多くの材料を付加することにより、高い圧力を局所的に得ることができる。好ましくは最終的な床パネルの縁部を構成する特定の部分における高い密度もまた、同様の方法で作り出すことができる。これは、強い係止システムを形成して耐湿性を改良するために用いることができる。このことは、表面あるいはコアの水平面に沿って密度の分布を変化させ得ることを意味する。耐摩耗性、耐衝撃性を高めあるいは装飾的な効果を生じさせるために、突出している表面部分の上に、耐摩耗性粒子および／またはバインダの量を増加させて付加することができる。この開示のこの実施形態は、パネルが突出した部分および低い部分を有するとともに、この突出した表面部分が低い部分とは異なる材料組成から成ることを特徴とする。
【０２０７】
プレス操作の間に最も上の層に溶けて入り込む印刷箔を用いることができる。そのような箔は、追加の耐摩耗性粒子、デザイン粒子、耐水性のために含浸させる化学薬品、あるいは光沢面を生成する特別な化学薬品と組み合わせることができる。
【０２０８】
３次元の「印刷」効果を有した石の複製を製造するために、装飾的な粒子、例えば着色用の剥片あるいは繊維を用いることができる。プレス操作の間に完全にまたは部分的に溶融する、着色顔料を含む熱可塑性樹脂の粒子を表面層に用いることができる。装飾的な粒子によって生じる装飾的な効果を制御するために、加熱された状態において粘性が異なる粒子を用いることができる。
【０２０９】
支持体層あるいは表面層を構成する例えばＨＤＦのコアを散在させた繊維層の上に配置したときには、特別な問題が生じ得る。特にプレスサイクルを可能な限り短くすることが意図されている場合にコアを繊維層に向かって降下させると、コアの空気流が繊維を吹き飛ばすのである。まだ硬化していない上側の繊維層に対してプレステーブルを閉じる場合に、同じ問題が生じる。そのような問題は、繊維上に液体、例えば液体バインダあるいは類似物を付加することによって解決することができる。他の解決策は、過剰な空気を排出するために、散乱させた繊維組織上に特別な真空装置を用いて板材を配置することである。薄い板材を機械加工しなければならないときによく用いられる真空テーブルと同じ特性を有する真空グリッパを用いることができる。プレス内への送り込みの間にバランス層、コアおよび表面層を安定させるために、穴の明いた裏当材もまた用いることができる。最終プレスの前の予備プレスを完全にまたは部分的に置き換えるために、真空を用いることができる。
【０２１０】
耐摩耗性を改良するために、構造化した紙／箔を、酸化アルミニウムと混合した液体メラミン樹脂で被覆して乾燥させることができる。この乾燥した表面に印刷を付加すると、この印刷は、パネルがプレス内で硬化するときに、上側の好ましくは耐摩耗性の繊維表面に転写される。いくつかの利点を得ることができる。
ａ）  装飾的な溝部分を生じさせるために、異なるデザインの下側部分へと延びる上側の装飾的な部分の溝を作ることができる。
ｂ）  天然の石の摩耗と同様に、製品の寿命の間に表面部分の一部が摩耗したときに変化し得るデザインを作り出すことができる。
【０２１１】
この方法はまた、従来の積層床材における耐スクラッチ性を高めるために用いることができる。
【０２１２】
ランダムな色の分布は、エアブラシ技術によって達成し、かつ「ランダムジェネレータ」によってプログラムしおよび／または生じさせることができる。
【０２１３】
２つの表面のいずれかを表面側としつつ全てのパネルが他の任意のパネルに対して係止されるように、取り付けの間に縁部に付加される柔軟な舌片あるいは別個の材料を有した、両面パネルを製造することもできる。
【０２１４】
被覆を耐摩耗性粒子と共に用いることは除外されず、そうすれば耐摩耗性が増加する。
【図１ａ−１ｄ】
0005595924.tif 000006
【図２ａ−２ｄ】
0005595924.tif 000007
【図３ａ−３ｃ】
0005595924.tif 000008
【図３ｄ】
0005595924.tif 000009
【図４ａ】
0005595924.tif 000010
【図４ｂ】
0005595924.tif 000011
【図５ａ】
0005595924.tif 000012
【図５ｂ】
0005595924.tif 000013
【図５ｃ】
0005595924.tif 000014
【図６ａ】
0005595924.tif 000015
【図６ｂ】
0005595924.tif 000016
【図６ｃ】
0005595924.tif 000017
【図６ｄ】
0005595924.tif 000018
【図６ｅ】
0005595924.tif 000019
【図６ｆ】
0005595924.tif 000020
【図７ａ】
0005595924.tif 000021
【図７ｂ】
0005595924.tif 000022
【図７ｃ】
0005595924.tif 000023
【図７ｄ】
0005595924.tif 000024
【図８ａ】
0005595924.tif 000025
【図８ｂ】
0005595924.tif 000026
【図８ｃ】
0005595924.tif 000027
【図８ｄ】
0005595924.tif 000028
【図９ａ】
0005595924.tif 000029
【図９ｂ】
0005595924.tif 000030
【図１０ａ】
0005595924.tif 000031
【図１０ｂ】
0005595924.tif 000032
【図１０ｃ】
0005595924.tif 000033
【図１１ａ】
0005595924.tif 000034
【図１１ｂ】
0005595924.tif 000035
【図１１ｃ】
0005595924.tif 000036
【図１２ａ】
0005595924.tif 000037
【図１２ｂ】
0005595924.tif 000038
【図１２ｃ】
0005595924.tif 000039
【図１２ｄ】
0005595924.tif 000040
【図１２ｅ】
0005595924.tif 000041
【図１３ａ】
0005595924.tif 000042
【図１３ｂ】
0005595924.tif 000043
【図１３ｃ】
0005595924.tif 000044
【図１３ｄ】
0005595924.tif 000045
【図１３ｅ】
0005595924.tif 000046
【図１３ｆ】
0005595924.tif 000047
【図１３ｇ】
0005595924.tif 000048
【図１３ｈ】
0005595924.tif 000049
【図１３ｉ】
0005595924.tif 000050
【図１３ｊ】
0005595924.tif 000051
【図１３ｋ】
0005595924.tif 000052
【図１４ａ−１４ｂ】
0005595924.tif 000053
【図１４ｃ】
0005595924.tif 000054
【図１４ｄ】
0005595924.tif 000055
【図１４ｅ】
0005595924.tif 000056
【図１５ａ−１５ｄ】
0005595924.tif 000057
【図１６ａ】
0005595924.tif 000058
【図１６ｂ】
0005595924.tif 000059
【図１６ｃ】
0005595924.tif 000060
【図１６ｄ】
0005595924.tif 000061
【図１６ｅ】
0005595924.tif 000062
【図１７ａ】
0005595924.tif 000063
【図１７ｂ】
0005595924.tif 000064
【図１７ｃ】
0005595924.tif 000065
【図１７ｄ】
0005595924.tif 000066
【図１７ｅ】
0005595924.tif 000067
【図１７ｆ】
0005595924.tif 000068